(57)【要約】【課題】効率的な測定に基づく通信を行うことができる端末装置、基地局装置、通信方法および集積回路に関する技術を提供すること。【解決手段】端末装置が、測定対象と、報告設定と、前記測定対象の一つと前記報告設定の一つとの組み合わせを識別する測定識別子とを含む測定設定を受信し、第１の条件を満たす場合に、前記測定識別子で示される前記測定対象の測定を実行する測定部とを備え、前記第１の条件を満たすとは、前記端末装置に第１の閾値が設定されていない場合、または、前記端末装置に前記第１の閾値が設定され、かつ特定のサービングセルのフィルタ後の参照信号受信電力（ＲＳＲＰ）が前記第１の閾値より小さい場合、または、前記測定識別子の測定対象に第1の情報が含まれる場合、を含む。【選択図】図７
2019121828.tif 000002
【特許請求の範囲】
【請求項１】
端末装置であって、
測定対象と、
報告設定と、
前記測定対象の一つと前記報告設定の一つとの組み合わせを識別する測定識別子と、
を含む測定設定を受信する受信部と、
第１の条件を満たす場合に、前記測定識別子で示される前記測定対象の測定を実行する測定部とを備え、
前記第１の条件を満たすとは、
前記端末装置に第１の閾値が設定されていない場合、または、
前記端末装置に前記第１の閾値が設定され、かつ特定のサービングセルのフィルタ後の参照信号受信電力（ＲＳＲＰ）が前記第１の閾値より小さい場合、または、
前記測定識別子の測定対象に第1の情報が含まれる場合、を含む
端末装置。
【請求項２】
基地局装置であって、
測定対象と、
報告設定と、
前記測定対象の一つと前記報告設定の一つとの組み合わせを識別する測定識別子と、
第１の閾値と、
を含む測定設定を送信する送信部と、
前記測定識別子で示される測定対象の測定において前記第１の閾値を考慮するか否かを示す第１の情報を含む前記測定設定を生成する制御部とを備える
基地局装置。
【請求項３】
端末装置に適用される通信方法であって、
測定対象と、
報告設定と、
前記測定対象の一つと前記報告設定の一つとの組み合わせを識別する測定識別子と、
を含む測定設定を受信するステップと、
第１の条件を満たす場合に、前記測定識別子で示される前記測定対象の測定を実行するステップとを含み、
前記第１の条件を満たすとは、
前記端末装置に第１の閾値が設定されていない場合、または、
前記端末装置に前記第１の閾値が設定され、かつ特定のサービングセルのフィルタ後の参照信号受信電力（ＲＳＲＰ）が前記第１の閾値より小さい場合、または、
前記測定識別子の測定対象に第1の情報が含まれる場合、を含む
通信方法。
【請求項４】
基地局装置に適用される通信方法であって、
測定対象と、
報告設定と、
前記測定対象の一つと前記報告設定の一つとの組み合わせを識別する測定識別子と、
第１の閾値と、
を含む測定設定を送信するステップと、
前記測定識別子で示される測定対象の測定において前記第１の閾値を考慮するか否かを示す第１の情報を含む前記測定設定を生成するステップとを含む
通信方法。
【請求項５】
端末装置に実装される集積回路であって、
測定対象と、
報告設定と、
前記測定対象の一つと前記報告設定の一つとの組み合わせを識別する測定識別子と、
を含む測定設定を受信する機能と、
第１の条件を満たす場合に、前記測定識別子で示される前記測定対象の測定を実行する機能とを前記端末装置に対して発揮させ、
前記第１の条件を満たすとは、
前記端末装置に第１の閾値が設定されていない場合、または、
前記端末装置に前記第１の閾値が設定され、かつ特定のサービングセルのフィルタ後の参照信号受信電力（ＲＳＲＰ）が前記第１の閾値より小さい場合、または、
前記測定識別子の測定対象に第1の情報が含まれる場合、を含む
集積回路。
【請求項６】
基地局装置に実装される集積回路であって、
測定対象と、
報告設定と、
前記測定対象の一つと前記報告設定の一つとの組み合わせを識別する測定識別子と、
第１の閾値と、
を含む測定設定を送信する機能と、
前記測定識別子で示される測定対象の測定において前記第１の閾値を考慮するか否かを示す第１の情報を含む前記測定設定を生成する機能とを前記基地局装置に対して発揮させる
集積回路。
【発明の詳細な説明】
【技術分野】
【０００１】
本発明は、端末装置、基地局装置、通信方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）が、第三世代パートナーシッププロジェクト（3ｒｄ  Ｇｅｎｅｒａｔｉｏｎ
Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。
【先行技術文献】
【非特許文献】
【０００４】
【非特許文献１】ＲＰ−１６１２１４，ＮＴＴ  ＤＯＣＯＭＯ，”Ｒｅｖｉｓｉｏｎ  ｏｆ  ＳＩ：  Ｓｔｕｄｙ  ｏｎ  Ｎｅｗ  Ｒａｄｉｏ  Ａｃｃｅｓｓ  Ｔｅｃｈｎｏｌｏｇｙ”，２０１６年６月
【非特許文献２】３ＧＰＰ  Ｒ２−１７００５７４  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿ＡＨｓ／２０１７＿０１＿ＮＲ／Ｄｏｃｓ／Ｒ２−１７００５７４．ｚｉｐ
【非特許文献３】３ＧＰＰ  ＴＳ３８．３３１  ｖ１．０．０  ｈｔｔｐ：／／ｆｔｐ．３ｇｐｐ．ｏｒｇ／／Ｓｐｅｃｓ／ａｒｃｈｉｖｅ／３８＿ｓｅｒｉｅｓ／３８．３３１/３８３３１−１００.ｚｉｐ
【発明の概要】
【発明が解決しようとする課題】
【０００５】
ＬＴＥとＮＲの両方のＲＡＴ（Ｒａｄｉｏ  Ａｃｃｅｓｓ  Ｔｅｃｈｎｏｌｏｇｙ）のセルをＲＡＴ毎にセルグループ化して端末装置に割り当て、端末装置と１つ以上の基地局装置とが通信する仕組み（ＥＮ−ＤＣ：Ｅ−ＵＴＲＡ−ＮＲ  Ｄｕａｌ  Ｃｏｎｎｅｃｔｉｖｉｔｙ）が検討されている（非特許文献２）。
【０００６】
さらに、ＥＮ−ＤＣでは、端末装置が、測定対象がＬＴＥである測定において特定のサービングセル（ＰＣｅｌｌ）の受信品質に基づいて測定を実行（Ｐｅｒｆｏｒｍ）するか否かを判断し、測定対象がＮＲである測定において特定のサービングセル（ＰＣｅｌｌ）の受信品質に関わらず測定を実行する仕組みが導入された（非特許文献３）。
【０００７】
しかしながら、サービングセルの品質に関わらず測定対象がＮＲの測定を常時行うことは非効率であるという課題があった。
【０００８】
本発明の一態様は、上記した事情に鑑みてなされたもので、測定を効率的に行うことができる端末装置、該端末装置と通信する基地局装置、該端末装置に用いられる通信方法、該基地局装置に用いられる通信方法、該端末装置に実装される集積回路、該基地局装置に実装される集積回路を提供することを目的の一つとする。
【課題を解決するための手段】
【０００９】
（１）上記の目的を達成するために、本発明の一態様は、以下のような手段を講じた。すなわち、本発明の第１の態様は、端末装置であって、測定対象と、報告設定と、前記測定対象の一つと前記報告設定の一つとの組み合わせを識別する測定識別子とを含む測定設定を受信する受信部と、第１の条件を満たす場合に、前記測定識別子で示される前記測定対象の測定を実行する測定部とを備え、前記第１の条件を満たすとは、前記端末装置に第１の閾値が設定されていない場合、または、前記端末装置に前記第１の閾値が設定され、かつ特定のサービングセルのフィルタ後の参照信号受信電力（ＲＳＲＰ）が前記第１の閾値より小さい場合、または、前記測定識別子の測定対象に第1の情報が含まれる場合、を
含む。
【００１０】
（２）本発明の第２の態様は、基地局装置であって、測定対象と、報告設定と、前記測定対象の一つと前記報告設定の一つとの組み合わせを識別する測定識別子と、第１の閾値とを含む測定設定を送信する送信部と、前記測定識別子で示される測定対象の測定において前記第１の閾値を考慮するか否かを示す第１の情報を含む前記測定設定を生成する制御部とを備える。
【００１１】
（３）本発明の第３の態様は、端末装置に適用される通信方法であって、測定対象と、報告設定と、前記測定対象の一つと前記報告設定の一つとの組み合わせを識別する測定識別子とを含む測定設定を受信するステップと、第１の条件を満たす場合に、前記測定識別子で示される前記測定対象の測定を実行するステップとを含み、前記第１の条件を満たすとは、前記端末装置に第１の閾値が設定されていない場合、または、前記端末装置に前記第１の閾値が設定され、かつ特定のサービングセルのフィルタ後の参照信号受信電力（ＲＳＲＰ）が前記第１の閾値より小さい場合、または、前記測定識別子の測定対象に第1の
情報が含まれる場合、を含む。
【００１２】
（４）本発明の第４の態様は、基地局装置に適用される通信方法であって、測定対象と、報告設定と、前記測定対象の一つと前記報告設定の一つとの組み合わせを識別する測定識別子と、第１の閾値と、を含む測定設定を送信するステップと、前記測定識別子で示される測定対象の測定において前記第１の閾値を考慮するか否かを示す第１の情報を含む前記測定設定を生成するステップとを含む。
【００１３】
（５）本発明の第５の態様は、端末装置に実装される集積回路であって、測定対象と、報告設定と、前記測定対象の一つと前記報告設定の一つとの組み合わせを識別する測定識別子と、を含む測定設定を受信する機能と、第１の条件を満たす場合に、前記測定識別子で示される前記測定対象の測定を実行する機能とを前記端末装置に対して発揮させ、前記第１の条件を満たすとは、前記端末装置に第１の閾値が設定されていない場合、または、前記端末装置に前記第１の閾値が設定され、かつ特定のサービングセルのフィルタ後の参照信号受信電力（ＲＳＲＰ）が前記第１の閾値より小さい場合、または、前記測定識別子の測定対象に第1の情報が含まれる場合、を含む。
【００１４】
（６）本発明の第６の態様は、基地局装置に実装される集積回路であって、測定対象と、報告設定と、前記測定対象の一つと前記報告設定の一つとの組み合わせを識別する測定識別子と、第１の閾値と、を含む測定設定を送信する機能と、前記測定識別子で示される測定対象の測定において前記第１の閾値を考慮するか否かを示す第１の情報を含む前記測定設定を生成する機能とを前記基地局装置に対して発揮させる。
【発明の効果】
【００１５】
本発明の一態様によれば、端末装置および基地局装置は、効率的な測定に基づく通信を行うことができる。
【図面の簡単な説明】
【００１６】
【図１】本実施形態の無線通信システムの概念図である。
【図２】本発明の実施形態に係る端末装置の概略構成の一例を示すブロック図である。
【図３】本発明の実施形態に係る基地局装置の概略構成の一例を示すブロック図である。
【図４】本発明の実施形態に係る下りリンクスロットの概略構成の一例を示す図である。
【図５】本発明の実施形態に係るサブフレ−ム、スロット、ミニスロットの時間領域における関係を示した図である。
【図６】本発明の実施形態に係るスロットまたはサブフレ−ムの一例を示す図である。
【図７】本発明の実施形態に係る測定実行判断の一例を示す図である。
【図８】本発明の実施形態に係るＲＲＣ接続再設定メッセージの一例を示す図である。
【図９】本発明の実施形態に係る測定設定手順の別の一例を示す図である。
【図１０】本発明の実施形態に係る測定設定の別の一例を示す図である。
【発明を実施するための形態】
【００１７】
以下、本発明の実施形態について説明する。
【００１８】
本実施形態の無線通信システム、および無線ネットワークについて説明する。
【００１９】
ＬＴＥ（およびＬＴＥ−Ａ  Ｐｒｏ）とＮＲは、異なるＲＡＴとして定義されてもよい。また、ＮＲとＤｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。
【００２０】
図１は、本実施形態の無線通信システムの概念図である。図１において、無線通信システムは、端末装置２および基地局装置３を具備する。また、基地局装置３は、１または複数の送受信点４（ｔｒａｎｓｍｉｓｓｉｏｎ  ｒｅｃｅｐｔｉｏｎ  ｐｏｉｎｔ：ＴＲＰ）を具備してもよい。基地局装置３は、基地局装置３によって制御される通信可能範囲（通信エリア）を１つまたは複数のセルとして端末装置２をサーブしてもよい。基地局装置３は、コアネットワーク装置を含んでもよい。また、基地局装置３は、１または複数の送受信点４によって制御される通信可能範囲（通信エリア）を１つまたは複数のセルとして端末装置２をサーブしてもよい。また、１つのセルを複数の部分領域（Ｂｅａｍｅｄ  ａｒｅａ、またはＢｅａｍｅｄ  ｃｅｌｌとも称する）にわけ、それぞれの部分領域において端末装置２をサーブしてもよい。ここで、部分領域は、ビ−ムフォーミングで使用されるビ−ムのインデックス、クワジコロケ−ションのインデックスあるいはプリコ−ディングのインデックスに基づいて識別されてもよい。
【００２１】
基地局装置３がカバ−する通信エリアは周波数毎にそれぞれ異なる広さ、異なる形状であっても良い。また、カバ−するエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００２２】
基地局装置３から端末装置２への無線通信リンクを下りリンクと称する。端末装置２か
ら基地局装置３への無線通信リンクを上りリンクと称する。端末装置２から他の端末装置２への直接無線通信リンクをサイドリンクと称する。
【００２３】
図１において、端末装置２と基地局装置３の間の無線通信および／または端末装置２と他の端末装置２の間の無線通信では、サイクリックプレフィックス（ＣＰ：Ｃｙｃｌｉｃ
Ｐｒｅｆｉｘ）を含む直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、シングルキャリア周波数多重（ＳＣ−ＦＤＭ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅｘｉｎｇ）、離散フ−リエ変換拡散ＯＦＤＭ（ＤＦＴ−Ｓ−ＯＦＤＭ：Ｄｉｓｃｒｅｔｅ  Ｆｏｕｒｉｅｒ  Ｔｒａｎｓｆｏｒｍ  Ｓｐｒｅａｄ  ＯＦＤＭ）、マルチキャリア符号分割多重（ＭＣ−ＣＤＭ：Ｍｕｌｔｉ−Ｃａｒｒｉｅｒ  Ｃｏｄｅ  Ｄｉｖｉｓｉｏｎ  Ｍｕｌｔｉｐｌｅｘｉｎｇ）が用いられてもよい。
【００２４】
また、図１において、端末装置２と基地局装置３の間の無線通信および／または端末装置２と他の端末装置２の間の無線通信では、ユニバ−サルフィルタマルチキャリア（ＵＦＭＣ：Ｕｎｉｖｅｒｓａｌ−Ｆｉｌｔｅｒｅｄ  Ｍｕｌｔｉ−Ｃａｒｒｉｅｒ）、フィルタＯＦＤＭ（Ｆ−ＯＦＤＭ：Ｆｉｌｔｅｒｅｄ  ＯＦＤＭ）、窓が乗算されたＯＦＤＭ（Ｗｉｎｄｏｗｅｄ  ＯＦＤＭ）、フィルタバンクマルチキャリア（ＦＢＭＣ：Ｆｉｌｔｅｒ−Ｂａｎｋ  Ｍｕｌｔｉ−Ｃａｒｒｉｅｒ）が用いられてもよい。
【００２５】
なお、本実施形態ではＯＦＤＭを伝送方式としてＯＦＤＭシンボルで説明するが、上述の他の伝送方式の場合を用いた場合も本発明に含まれる。例えば、本実施形態におけるＯＦＤＭシンボルはＳＣ−ＦＤＭシンボル（ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルと称される場合もある）であってもよい。
【００２６】
また、図１において、端末装置２と基地局装置３の間の無線通信および／または端末装置２と他の端末装置２の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２７】
端末装置２は、セルの中を通信エリアとみなして動作する。端末装置２は、非無線接続時（アイドル状態、ＲＲＣ＿ＩＤＬＥ状態とも称する）において、セル再選択手順によって別の適切なセルへ移動してもよい。端末装置２は、無線接続時（コネクティッド状態、ＲＲＣ＿ＣＯＮＮＥＣＴＥＤ状態とも称する）において、ハンドオ−バ手順によって別のセルへ移動してもよい。適切なセルとは、一般的に、基地局装置３から示される情報に基づいて端末装置２のアクセスが禁止されていないと判断されるセルであって、かつ、下りリンクの受信品質が所定の条件を満たすセルのことを示す。また、端末装置２は、不活動状態（インアクティブ状態とも称する）において、セル再選択手順によって別の適切なセルへ移動してもよい。端末装置２は、不活動状態において、ハンドオ−バ手順によって別のセルへ移動してもよい。
【００２８】
端末装置２がある基地局装置３と通信可能であるとき、その基地局装置３のセルのうち、端末装置２との通信に使用されるように設定されているセルを在圏セル（Ｓｅｒｖｉｎｇ  ｃｅｌｌ、サービングセル）と称して、その他の通信に使用されないセルは周辺セル（Ｎｅｉｇｈｂｏｒｉｎｇ  ｃｅｌｌ）と称してよい。また、サービングセルにおいて必要となるシステム情報の一部あるいは全部は、端末装置２に対して、別のセルで報知または通知される場合もある。
【００２９】
本実施形態では、端末装置２に対して１つまたは複数のサービングセルが設定される。
複数のサービングセルが端末装置２に対して設定された場合、設定された複数のサービングセルは、１つのプライマリセルと１つまたは複数のセカンダリセルとを含んでよい。プライマリセルは、初期コネクション確立（ｉｎｉｔｉａｌ  ｃｏｎｎｅｃｔｉｏｎ  ｅｓｔａｂｌｉｓｈｍｅｎｔ）プロシージャが行なわれたサービングセル、コネクション再確立（ｃｏｎｎｅｃｔｉｏｎ  ｒｅ−ｅｓｔａｂｌｉｓｈｍｅｎｔ）プロシージャを開始したサービングセル、または、ハンドオ−バプロシージャにおいてプライマリセルと指示されたセルでもよい。ＲＲＣ（Ｒａｄｉｏ  Ｒｅｓｏｕｒｃｅ  Ｃｏｎｔｒｏｌ）接続が確立された時点、または、ＲＲＣ接続が確立された後に、１つまたは複数のセカンダリセルが設定されてもよい。また、プライマリセル（ＰＣｅｌｌ）を含む１つまたは複数のサービングセルで構成されるセルグループ（マスターセルグループ（ＭＣＧ）とも称する）と、プライマリセルを含まず、少なくともランダムアクセス手順が実施可能であり非活性状態とならないプライマリセカンダリセル（ＰＳＣｅｌｌ）を含む１つまたは複数のサービングセルで構成される１つまたは複数のセルグループ（セカンダリセルグループ（ＳＣＧ）とも称する）とが端末装置２に対して設定されてもよい。マスターセルグループは１つのプライマリセルと０個以上のセカンダリセルで構成される。セカンダリセルグループは１つのプライマリセカンダリセルと０個以上のセカンダリセルで構成される。また、ＭＣＧとＳＣＧの何れかはＬＴＥのセルで構成されるセルグループであってもよい。
【００３０】
本実施形態の無線通信システムは、ＴＤＤ（Ｔｉｍｅ  Ｄｉｖｉｓｉｏｎ  Ｄｕｐｌｅｘ）および／またはＦＤＤ（Ｆｒｅｑｕｅｎｃｙ  Ｄｉｖｉｓｉｏｎ  Ｄｕｐｌｅｘ）が適用されてよい。複数のセルの全てに対してＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されてもよい。また、ＴＤＤ方式が適用されるセルとＦＤＤ方式が適用されるセルが集約されてもよい。なお、ＦＤＤのキャリア（周波数）をペアドキャリア（Ｐａｉｒｄ  ｃａｒｒｉｅｒ）、ＴＤＤのキャリア（周波数）をアンペアドキャリア（Ｕｎｐａｉｒｅｄ  ｃａｒｒｉｅｒ）と称してもよい。すなわち、ＦＤＤがＰａｉｅｒｄと同義であり、ＴＤＤがＵｎｐａｉｅｒｄと同義であってよい。
【００３１】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００３２】
本実施形態の物理チャネルおよび物理信号について説明する。ただし、下りリンク物理チャネルおよび／または下りリンク物理信号を総称して、下りリンク信号と称してもよい。上りリンク物理チャネルおよび／または上りリンク物理信号を総称して、上りリンク信号と称してもよい。下りリンク物理チャネルおよび／または上りリンク物理チャネルを総称して、物理チャネルと称してもよい。下りリンク物理信号および／または上りリンク物理信号を総称して、物理信号と称してもよい。
【００３３】
ＬＴＥの物理チャネルおよび物理シグナルについて説明する。
【００３４】
端末装置２から基地局装置３への上りリンクの無線通信では、以下の上りリンク物理チャネルが用いられる。上りリンク物理チャネルは、上位層から出力された情報を送信するために、物理層によって使用される。
・ＰＵＣＣＨ（Ｐｈｙｓｉｃａｌ  Ｕｐｌｉｎｋ  Ｃｏｎｔｒｏｌ  Ｃｈａｎｎｅｌ）
・ＰＵＳＣＨ（Ｐｈｙｓｉｃａｌ  Ｕｐｌｉｎｋ  Ｓｈａｒｅｄ  Ｃｈａｎｎｅｌ）
・ＰＲＡＣＨ（Ｐｈｙｓｉｃａｌ  Ｒａｎｄｏｍ  Ａｃｃｅｓｓ  Ｃｈａｎｎｅｌ）
【００３５】
ＰＵＣＣＨは、上りリンク制御情報（Ｕｐｌｉｎｋ  Ｃｏｎｔｒｏｌ  Ｉｎｆｏｒｍａｔｉｏｎ：ＵＣＩ）を送信するために用いられる。上りリンク制御情報は、下りリンクのチャネル状態情報（Ｃｈａｎｎｅｌ  Ｓｔａｔｅ  Ｉｎｆｏｒｍａｔｉｏｎ：ＣＳＩ）、初期送信のためのＰＵＳＣＨ（Ｕｐｌｉｎｋ−Ｓｈａｒｅｄ  Ｃｈａｎｎｅｌ：ＵＬ−ＳＣＨ）リソースを要求するために用いられるスケジューリングリクエスト（Ｓｃｈｅｄｕｌｉｎｇ  Ｒｅｑｕｅｓｔ： ＳＲ）、下りリンクデータ（Ｔｒａｎｓｐｏｒｔ  ｂｌｏ
ｃｋ，  Ｍｅｄｉｕｍ  Ａｃｃｅｓｓ  Ｃｏｎｔｒｏｌ  Ｐｒｏｔｏｃｏｌ  Ｄａｔａ 
Ｕｎｉｔ：ＭＡＣ  ＰＤＵ，  Ｄｏｗｎｌｉｎｋ−Ｓｈａｒｅｄ  Ｃｈａｎｎｅｌ：ＤＬ−ＳＣＨ，  Ｐｈｙｓｉｃａｌ  Ｄｏｗｎｌｉｎｋ  Ｓｈａｒｅｄ  Ｃｈａｎｎｅｌ：ＰＤＳＣＨ）に対するＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）を含む。ＨＡＲＱ−ＡＣＫは、ＡＣＫ（ａｃｋｎｏｗｌｅｄｇｅｍｅｎｔ）またはＮＡＣＫ（ｎｅｇａｔｉｖｅ−ａｃｋｎｏｗｌｅｄｇｅｍｅｎｔ）を示す。ＨＡＲＱ−ＡＣＫを、ＨＡＲＱフィードバック、ＨＡＲＱ情報、ＨＡＲＱ制御情報、および、ＡＣＫ／ＮＡＣＫとも称する。
【００３６】
ＰＵＳＣＨは、上りリンクデータ（Ｕｐｌｉｎｋ−Ｓｈａｒｅｄ  Ｃｈａｎｎｅｌ：ＵＬ−ＳＣＨ）を送信するために用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００３７】
ＰＲＡＣＨは、ランダムアクセスプリアンブル（ランダムアクセスメッセージ１）を送信するために用いられる。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＰＵＳＣＨ（ＵＬ−ＳＣＨ）リソースの要求を示すために用いられる。
【００３８】
上りリンクの無線通信では、以下の上りリンク物理シグナルが用いられる。上りリンク物理シグナルは、上位層から出力された情報を送信するために使用されないが、物理層によって使用される。
・上りリンク参照信号（Ｕｐｌｉｎｋ  Ｒｅｆｅｒｅｎｃｅ  Ｓｉｇｎａｌ：ＵＬ ＲＳ
）
【００３９】
本実施形態において、以下の２つのタイプの上りリンク参照信号が用いられる。
・ＤＭＲＳ（Ｄｅｍｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
【００４０】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４１】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおけ
る最後のＳＣ−ＦＤＭＡシンボル、または、ＵｐＰＴＳにおけるＳＣ−ＦＤＭＡシンボルにおいて送信される。
【００４２】
基地局装置３から端末装置２への下りリンクの無線通信では、以下の下りリンク物理チャネルが用いられる。下りリンク物理チャネルは、上位層から出力された情報を送信するために、物理層によって使用される。
・ＰＢＣＨ（Ｐｈｙｓｉｃａｌ  Ｂｒｏａｄｃａｓｔ  Ｃｈａｎｎｅｌ）
・ＰＣＦＩＣＨ（Ｐｈｙｓｉｃａｌ  Ｃｏｎｔｒｏｌ  Ｆｏｒｍａｔ  Ｉｎｄｉｃａｔｏｒ Ｃｈａｎｎｅｌ）
・ＰＨＩＣＨ（Ｐｈｙｓｉｃａｌ  Ｈｙｂｒｉｄ  ａｕｔｏｍａｔｉｃ  ｒｅｐｅａｔ  ｒｅｑｕｅｓｔ Ｉｎｄｉｃａｔｏｒ  Ｃｈａｎｎｅｌ）
・ＰＤＣＣＨ（Ｐｈｙｓｉｃａｌ  Ｄｏｗｎｌｉｎｋ  Ｃｏｎｔｒｏｌ  Ｃｈａｎｎｅｌ）
・ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ Ｃｈａｎｎｅｌ）
・ＰＤＳＣＨ（Ｐｈｙｓｉｃａｌ  Ｄｏｗｎｌｉｎｋ  Ｓｈａｒｅｄ  Ｃｈａｎｎｅｌ）・ＰＭＣＨ（Ｐｈｙｓｉｃａｌ  Ｍｕｌｔｉｃａｓｔ  Ｃｈａｎｎｅｌ）
【００４３】
ＰＢＣＨは、端末装置２で共通に用いられるマスターインフォメーションブロック（Ｍａｓｔｅｒ  Ｉｎｆｏｒｍａｔｉｏｎ  Ｂｌｏｃｋ：ＭＩＢ，  Ｂｒｏａｄｃａｓｔ  Ｃｈａｎｎｅｌ：BCH）を報知するために用いられる。ＭＩＢは、４０ｍｓ間隔で送信され
、ＭＩＢは１０ｍｓ周期で繰り返し送信される。具体的には、ＳＦＮ  ｍｏｄ  ４=０を
満たす無線フレームにおけるサブフレーム０においてＭＩＢの初期送信が行なわれ、他の全ての無線フレームにおけるサブフレーム０においてＭＩＢの再送信（ｒｅｐｅｔｉｔｉｏｎ）が行なわれる。ＳＦＮ（ｓｙｓｔｅｍ  ｆｒａｍｅ  ｎｕｍｂｅｒ）は無線フレームの番号である。ＭＩＢはシステム情報である。例えば、ＭＩＢは、ＳＦＮを示す情報を含む。
【００４４】
ＰＣＦＩＣＨは、ＰＤＣＣＨの送信に用いられる領域（ＯＦＤＭシンボル）を指示する情報を送信するために用いられる。
【００４５】
ＰＨＩＣＨは、基地局装置３が受信した上りリンクデータ（Ｕｐｌｉｎｋ  Ｓｈａｒｅｄ  Ｃｈａｎｎｅｌ：ＵＬ−ＳＣＨ）に対するＨＡＲＱインディケータを送信するために用いられる。ＨＡＲＱインディケータは、ＨＡＲＱ−ＡＣＫを示す。
【００４６】
ＰＤＣＣＨおよびＥＰＤＣＣＨは、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。下りリンク制御情報を、ＤＣＩフォーマットとも称する。下りリンク制御情報は、下りリンクグラント（ｄｏｗｎｌｉｎｋ  ｇｒａｎｔ）および上りリンクグラント（ｕｐｌｉｎｋ  ｇｒａｎｔ）を含む。下りリンクグラントは、下りリンクアサインメント（ｄｏｗｎｌｉｎｋ  ａｓｓｉｇｎｍｅｎｔ）または下りリンク割り当て（ｄｏｗｎｌｉｎｋ  ａｌｌｏｃａｔｉｏｎ）とも称する。
【００４７】
１つの下りリンクグラントは、１つのサービングセル内の１つのＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４８】
１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる
。
【００４９】
ＰＤＣＣＨで送信される上りリンクグラントはＤＣＩフォーマット０を含む。ＤＣＩフォーマット０に対応するＰＵＳＣＨの送信方式は、シングルアンテナポートである。端末装置２は、ＤＣＩフォーマット０に対応するＰＵＳＣＨ送信のためにシングルアンテナポート送信方式を用いる。シングルアンテナポート送信方式が適用されるＰＵＳＣＨは、１つのコードワード（１つのトランスポートブロック）の伝送に用いられる。
【００５０】
ＰＤＣＣＨで送信される上りリンクグラントは、ＤＣＩフォーマット４を含む。ＤＣＩフォーマット４に対応するＰＵＳＣＨの送信方式は、閉ループ空間多重である。端末装置２は、ＤＣＩフォーマット４に対応するＰＵＳＣＨ送信のために閉ループ空間多重送信方式を用いる。閉ループ空間多重送信方式が適用されるＰＵＳＣＨは、２つまでのコードワード（２つまでのトランスポートブロック）の伝送に用いられる。
【００５１】
下りリンクグラント、または、上りリンクグラントに付加されるＣＲＣパリティビットは、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、Ｔｅｍｐｏｒａｒｙ  Ｃ−ＲＮＴＩ、ＳＰＳ（Ｓｅｍｉ  Ｐｅｒｓｉｓｔｅｎｔ  Ｓｃｈｅｄｕｌｉｎｇ）Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）によってスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、競合ベースランダムアクセス手順において用いられる。
【００５２】
Ｃ−ＲＮＴＩは、１つのサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。Ｔｅｍｐｏｒａｒｙ  Ｃ−ＲＮＴＩは、ランダムアクセスメッセージ３の再送信、および、ランダムアクセスメッセージ４の送信をスケジュールするために用いられる。
【００５３】
ＰＤＳＣＨは、下りリンクデータ（Ｄｏｗｎｌｉｎｋ  Ｓｈａｒｅｄ  Ｃｈａｎｎｅｌ：ＤＬ−ＳＣＨ）を送信するために用いられる。ＰＤＳＣＨは、ランダムアクセスメッセージ２（ランダムアクセスレスポンス）を送信するために用いられる。ＰＤＳＣＨは、ハンドオーバコマンドを送信するために用いられる。
【００５４】
ランダムアクセスレスポンスは、ＲＡＲグラント（Ｒａｎｄｏｍ  Ａｃｃｅｓｓ  Ｒｅｓｐｏｎｓｅ ｇｒａｎｔ）を含む。ＲＡＲグラントは、ＰＤＳＣＨで送信される上りリ
ンクグラントである。端末装置２は、ＲＡＲグラントに対応するＰＵＳＣＨ送信、および、同じトランスポートブロックに対する該ＰＵＳＣＨ再送信のためにシングルアンテナポート送信方式を用いる。
【００５５】
ＰＭＣＨは、マルチキャストデータ（Ｍｕｌｔｉｃａｓｔ  Ｃｈａｎｎｅｌ：ＭＣＨ）を送信するために用いられる。
【００５６】
下りリンクの無線通信では、以下の下りリンク物理シグナルが用いられる。下りリンク物理シグナルは、上位層から出力された情報を送信するために使用されないが、物理層によって使用される。
・同期信号（Ｓｙｎｃｈｒｏｎｉｚａｔｉｏｎ  ｓｉｇｎａｌ：ＳＳ）
・下りリンク参照信号（Ｄｏｗｎｌｉｎｋ  Ｒｅｆｅｒｅｎｃｅ  Ｓｉｇｎａｌ：ＤＬ  ＲＳ）
【００５７】
同期信号は、端末装置２が下りリンクの周波数領域および時間領域の同期をとるために用いられる。同期信号は、ＰＳＳ（Ｐｒｉｍａｒｙ  Ｓｙｎｃｈｒｏｎｉｚａｔｉｏｎ  Ｓｉｇｎａｌ）、および、ＳＳＳ（Ｓｅｃｏｎｄ  Ｓｙｎｃｈｒｏｎｉｚａｔｉｏｎ  Ｓｉｇｎａｌ）を含む。
【００５８】
下りリンク参照信号は、端末装置２が下りリンク物理チャネルの伝搬路補正を行なうために用いられる。下りリンク参照信号は、端末装置２が下りリンクのチャネル状態情報を算出するために用いられる。
【００５９】
本実施形態において、以下の７つのタイプの下りリンク参照信号が用いられる。
・ＣＲＳ（Ｃｅｌｌ−ｓｐｅｃｉｆｉｃ  Ｒｅｆｅｒｅｎｃｅ  Ｓｉｇｎａｌ）
・ＰＤＳＣＨに関連するＵＲＳ（ＵＥ−ｓｐｅｃｉｆｉｃ  Ｒｅｆｅｒｅｎｃｅ  Ｓｉｇｎａｌ）
・ＥＰＤＣＣＨに関連するＤＭＲＳ（Ｄｅｍｏｄｕｌａｔｉｏｎ  Ｒｅｆｅｒｅｎｃｅ 
Ｓｉｇｎａｌ）
・ＮＺＰ  ＣＳＩ−ＲＳ（Ｎｏｎ−Ｚｅｒｏ  Ｐｏｗｅｒ  Ｃｈａｎｅｌ  Ｓｔａｔｅ  Ｉｎｆｏｒｍａｔｉｏｎ−Ｒｅｆｅｒｅｎｃｅ  Ｓｉｇｎａｌ）
・ＺＰ  ＣＳＩ−ＲＳ（Ｚｅｒｏ  Ｐｏｗｅｒ  Ｃｈａｎｅｌ  Ｓｔａｔｅ  Ｉｎｆｏｒｍａｔｉｏｎ−Ｒｅｆｅｒｅｎｃｅ Ｓｉｇｎａｌ）
・ＭＢＳＦＮ  ＲＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ  ｏｖｅｒ  Ｓｉｎｇｌｅ  Ｆｒｅｑｕｅｎｃｙ  Ｎｅｔｗｏｒｋ  Ｒｅｆｅｒｅｎｃｅ  ｓｉｇｎａｌ）
・ＰＲＳ（Ｐｏｓｉｔｉｏｎｉｎｇ  Ｒｅｆｅｒｅｎｃｅ  Ｓｉｇｎａｌ）
【００６０】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００６１】
ＢＣＨ、ＭＣＨ、ＵＬ−ＳＣＨおよびＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。ＭＡＣ層においてトランスポートブロック毎にＨＡＲＱ（Ｈｙｂｒｉｄ  Ａｕｔｏｍａｔｉｃ  Ｒｅｐｅａｔ ｒｅＱｕｅｓｔ）の制御が行なわれる。トランスポートブロックは、ＭＡ
Ｃ層が物理層に渡す（ｄｅｌｉｖｅｒ）データの単位である。物理層において、トランスポートブロックはコードワードにマップされ、コードワード毎に符号化処理が行なわれる。
【００６２】
基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：  Ｒａｄｉｏ  Ｒｅｓｏｕｒｃｅ Ｃｏｎｔｒｏｌ）層において、ＲＲＣシグナリン
グ（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ，ＲＲＣ  ｉｎｆｏｒｍａｔｉｏｎ：Ｒａｄｉｏ  Ｒｅｓｏｕｒｃｅ  Ｃｏｎｔｒｏｌ  ｉｎｆｏｒｍａｔｉｏｎとも称される）を送受信してもよい。また、基地局装置３と端末装置２は、媒体アクセス制御（ＭＡＣ：Ｍｅｄｉｕｍ  Ａｃｃｅｓｓ  Ｃｏｎｔｒｏｌ）層において、ＭＡＣ  ＣＥ（Ｃｏｎｔｒｏｌ  Ｅｌｅｍｅｎｔ）を送受信してもよい。ここで、ＲＲＣシグナリング、および／または、ＭＡＣ  ＣＥを、上位層の信号（
ｈｉｇｈｅｒ  ｌａｙｅｒ  ｓｉｇｎａｌｉｎｇ）とも称する。
【００６３】
ＰＵＳＣＨおよびＰＤＳＣＨは、ＲＲＣシグナリング、および、ＭＡＣ  ＣＥを送信するために用いられる。ここで、基地局装置３からＰＤＳＣＨで送信されるＲＲＣシグナリングは、セル内における複数の端末装置２に対して共通のシグナリングであってもよい。基地局装置３からＰＤＳＣＨで送信されるＲＲＣシグナリングは、ある端末装置２に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも称する）であってもよい。セルスペシフィックパラメータは、セル内における複数の端末装置２に対して共通のシグナリング、または、ある端末装置２に対して専用のシグナリングを用いて送信されてもよい。ＵＥスペシフィックパラメータは、ある端末装置２に対して専用のシグナリングを用いて送信されてもよい。
【００６４】
次にＮＲの技術について説明する。ＮＲでは、以下の下りリンク物理チャネルが用いられる。下りリンク物理チャネルは、上位層から出力された情報を送信するために使用される。
【００６５】
・ＮＲ−ＰＢＣＨ（Ｎｅｗ  Ｒａｄｉｏ  Ｐｈｙｓｉｃａｌ  Ｂｒｏａｄｃａｓｔ  ＣＨａｎｎｅｌ）
・ＮＲ−ＰＤＣＣＨ（Ｎｅｗ  Ｒａｄｉｏ  Ｐｈｙｓｉｃａｌ  Ｄｏｗｎｌｉｎｋ  Ｃｏｎｔｒｏｌ  ＣＨａｎｎｅｌ）
・ＮＲ−ＰＤＳＣＨ（Ｎｅｗ  Ｒａｄｉｏ  Ｐｈｙｓｉｃａｌ  Ｄｏｗｎｌｉｎｋ  Ｓｈａｒｅｄ  ＣＨａｎｎｅｌ）
【００６６】
ＮＲ−ＰＢＣＨは、端末装置２が必要とする重要なシステム情報（Ｅｓｓｅｎｔｉａｌ
ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ  Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Ｗｒａｐ  ａｒｏｕｎｄ）。また、セル内の領域ごとに異なる重要情報ブロックが送信される場合には領域を識別できる情報（例えば、領域を構成する基地局送信ビームの識別子情報）が含まれてもよい。ここで、基地局送信ビームの識別子情報は、基地局送信ビーム（プリコーディング）のインデックスを用いて示されてもよい。また、セル内の領域ごとに異なる重要情報ブロック（重要情報メッセージ）が送信される場合にはフレーム内の時間位置（例えば、当該重要情報ブロック（重要情報メッセージ）が含まれるサブフレーム番号）を識別できる情報が含まれてもよい。すなわち、異なる基地局送信ビームのインデックスが用いられた重要情報ブロック（重要情報メッセージ）の送信のそれぞれが行われるサブフレーム番号のそれぞれを決定するための情報が含まれてもよい。例えば、重要情報には、セルへの接続やモビリティのために必要な情報が含まれてもよい。また、重要情報メッセージはシステム情報メッセージの一部であってもよい。また、重要情報メッセージの一部あるいは全部が、最少システム情報（Ｍｉｎｉｍｕｍ  ＳＩ）と称されてもよい。あるセルにおける有効な最少システム情報のすべてが取得できない場合に、端末装置２は、そのセルをアクセスが禁止されたセル（Ｂａｒｒｅｄ  Ｃｅｌｌ）とみなしてもよい。また、最少システム情報の一部のみがＰＢＣＨで報知され、残りの最少システム情報が後述するＮＲ−ＰＳＣＨで送信されてもよい。
【００６７】
ＮＲ−ＰＤＣＣＨは、下りリンクの無線通信（基地局装置３から端末装置２への無線通
信）において、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００６８】
例えば、ＤＣＩとして、スケジューリングされたＮＲ−ＰＤＳＣＨに対するＨＡＲＱ−ＡＣＫを送信するタイミング（例えば、ＮＲ−ＰＤＳＣＨに含まれる最後のシンボルからＨＡＲＱ−ＡＣＫ送信までのシンボル数）示す情報を含むＤＣＩが定義されてもよい。
【００６９】
例えば、ＤＣＩとして、１つのセルにおける１つの下りリンクの無線通信ＮＲ−ＰＤＳＣＨ（１つの下りリンクトランスポートブロックの送信）のスケジューリングのために用いられるＤＣＩが定義されてもよい。
【００７０】
例えば、ＤＣＩとして、１つのセルにおける１つの上りリンクの無線通信ＮＲ−ＰＵＳＣＨ（１つの上りリンクトランスポートブロックの送信）のスケジューリングのために用いられるＤＣＩが定義されてもよい。
【００７１】
ここで、ＤＣＩには、ＮＲ−ＰＤＳＣＨあるいはＮＲ−ＰＵＳＣＨのスケジューリングに関する情報が含まれる。ここで、下りリンクに対するＤＣＩを、下りリンクグラント（ｄｏｗｎｌｉｎｋ  ｇｒａｎｔ）、または、下りリンクアサインメント（ｄｏｗｎｌｉｎｋ  ａｓｓｉｇｎｍｅｎｔ）とも称する。ここで、上りリンクに対するＤＣＩを、上りリンクグラント（ｕｐｌｉｎｋ  ｇｒａｎｔ）、または、上りリンクアサインメント（Ｕｐｌｉｎｋ  ａｓｓｉｇｎｍｅｎｔ）とも称する。
【００７２】
ＮＲ−ＰＤＳＣＨは、媒介アクセス（ＭＡＣ：Ｍｅｄｉｕｍ  Ａｃｃｅｓｓ  Ｃｏｎｔｒｏｌ）からの下りリンクデータ（ＤＬ−ＳＣＨ：Ｄｏｗｎｌｉｎｋ  Ｓｈａｒｅｄ  ＣＨａｎｎｅｌ）の送信に用いられる。また、システム情報（ＳＩ：Ｓｙｓｔｅｍ  Ｉｎｆｏｒｍａｔｉｏｎ）やランダムアクセス応答（ＲＡＲ：Ｒａｎｄｏｍ  Ａｃｃｅｓｓ  Ｒｅｓｐｏｎｓｅ）などの送信にも用いられる。
【００７３】
ここで、基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ、ＲＲＣ ｉｎｆｏｒｍａｔｉｏｎ：Ｒａｄｉｏ  Ｒｅｓｏｕｒｃｅ  Ｃ
ｏｎｔｒｏｌ  ｉｎｆｏｒｍａｔｉｏｎとも称される）を送受信してもよい。また、基地局装置３と端末装置２は、ＭＡＣ（Ｍｅｄｉｕｍ  Ａｃｃｅｓｓ  Ｃｏｎｔｒｏｌ）層において、ＭＡＣコントロールエレメントを送受信してもよい。ここで、ＲＲＣシグナリング、および／または、ＭＡＣコントロールエレメントを、上位層の信号（ｈｉｇｈｅｒ  ｌａｙｅｒ  ｓｉｇｎａｌｉｎｇ）とも称する。ここでの上位層は、物理層から見た上位層を意味するため、ＭＡＣ層、ＲＲＣ層、ＲＬＣ層、ＰＤＣＰ層、ＮＡＳ層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００７４】
ＮＲ−ＰＤＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置２に対して共通のシグナリングであってもよい。また、基地局装置３から送信されるＲＲＣシグナリングは、ある端末装置２に対して専用のシグナリング（ｄｅｄｉｃａｔｅｄ  ｓｉｇｎａｌｉｎｇとも称する）であってもよい
。すなわち、端末装置固有（ＵＥスペシフィック）な情報は、ある端末装置２に対して専用のシグナリングを用いて送信されてもよい。
【００７５】
ＮＲ−ＰＲＡＣＨは、ランダムアクセスプリアンブルを送信するために用いられてもよい。ＮＲ−ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＮＲ−ＰＵＳＣＨ（ＵＬ−ＳＣＨ）リソースの要求を示すために用いられてもよい。
【００７６】
下りリンクの無線通信では、以下の下りリンク物理信号が用いられる。ここで、下りリンク物理信号は、上位層から出力された情報を送信するために使用されないが、物理層によって使用される。
・同期信号（Ｓｙｎｃｈｒｏｎｉｚａｔｉｏｎ  ｓｉｇｎａｌ：ＳＳ）
・参照信号（Ｒｅｆｅｒｅｎｃｅ  Ｓｉｇｎａｌ：ＲＳ）
【００７７】
同期信号は、端末装置２が下りリンクの周波数領域および時間領域の同期をとるために用いられる。同期信号は、プライマリ同期信号（ＰＳＳ：Ｐｒｉｍａｒｙ  Ｓｙｎｃｈｒｏｎｉｚａｔｉｏｎ  Ｓｉｇｎａｌ）およびセカンダリ同期信号（Ｓｅｃｏｎｄ  Ｓｙｎｃｈｒｏｎｉｚａｔｉｏｎ  Ｓｉｇｎａｌ）を含んでよい。また、同期信号は、端末装置２がセル識別子（セルＩＤ：Ｃｅｌｌ  Ｉｄｅｎｔｉｆｉｅｒ、ＰＣＩ：Ｐｈｙｓｉｃａｌ  Ｃｅｌｌ  Ｉｄｅｎｔｉｆｉｅｒとも称する）を特定するために用いられてもよい。また、同期信号は、下りリンクビームフォーミングにおいて基地局装置３が用いる基地局送信ビームおよび／または端末装置２が用いる端末受信ビームの選択／識別／決定に用いられてよい。すなわち、同期信号は、基地局装置３によって下りリンク信号に対して適用された基地局送信ビームのインデックスを、端末装置２が選択／識別／決定するために用いられてもよい。ＮＲにおいて用いられる同期信号、プライマリ同期信号およびセカンダリ同期信号をそれぞれＮＲ−ＳＳ、ＮＲ−ＰＳＳ、ＮＲ−ＳＳＳと称してもよい。また、同期信号は、セルの品質を測定するために用いられてもよい。例えば同期信号の受信電力（ＳＳＲＰ）や受信品質（ＳＳＲＱ）が測定に用いられてよい。また、同期信号は、一部の下りリンク物理チャネルの伝搬路補正を行なうために用いられてもよい。
【００７８】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
・ＤＭＲＳ（Ｄｅｍｏｄｕｌａｔｉｏｎ  Ｒｅｆｅｒｅｎｃｅ  Ｓｉｇｎａｌ）
・ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）
・ＰＴＲＳ（Ｐｈａｓｅ  Ｔｒａｃｋｉｎｇ  Ｒｅｆｅｒｅｎｃｅ  Ｓｉｇｎａｌ）
・ＭＲＳ（Ｍｏｂｉｌｉｔｙ  Ｒｅｆｅｒｅｎｃｅ  Ｓｉｇｎａｌ）
【００７９】
ＤＭＲＳは、受信した変調信号の復調時の伝搬路補償に用いられてよい。ＤＭＲＳは、ＮＲ−ＰＤＳＣＨの復調用、ＮＲ−ＰＤＣＣＨの復調用、および／またはＮＲ−ＰＢＣＨの復調用のＤＭＲＳを総じてＤＭＲＳと称してもよいし、それぞれ個別に定義されてもよい。
【００８０】
ＣＳＩ−ＲＳは、チャネル状態測定に用いられてよい。ＰＴＲＳは、端末の移動等により位相をトラックするために使用されてよい。ＭＲＳは、ハンドオーバのための複数の基地局装置からの受信品質を測定するために使用されてよい。
【００８１】
また、参照信号には、位相雑音を補償するための参照信号が定義されてもよい。
【００８２】
ただし、上記複数の参照信号の少なくとも一部は、他の参照信号がその機能を有してもよい。
【００８３】
また、上記複数の参照信号の少なくとも１つ、あるいはその他の参照信号が、セルに対して個別に設定されるセル固有参照信号（Ｃｅｌｌ−ｓｐｅｃｉｆｉｃ  ｒｅｆｅｒｅｎｃｅ  ｓｉｇｎａｌ；ＣＲＳ）、基地局装置３あるいは送受信点４が用いる送信ビーム毎のビーム固有参照信号（Ｂｅａｍ−ｓｐｅｃｉｆｉｃ  ｒｅｆｅｒｅｎｃｅ  ｓｉｇｎａｌ；ＢＲＳ）、および／または、端末装置２に対して個別に設定される端末固有参照信号（ＵＥ−ｓｐｅｃｉｆｉｃ  ｒｅｆｅｒｅｎｃｅ  ｓｉｇｎａｌ；ＵＲＳ）として定義されてもよい。
【００８４】
また、参照信号の少なくとも１つは、無線パラメータやサブキャリア間隔などのヌメロロジーやＦＦＴの窓同期などができる程度の細かい同期（Ｆｉｎｅ  ｓｙｎｃｈｒｏｎｉｚａｔｉｏｎ）に用いられて良い。
【００８５】
また、参照信号の少なくとも１つは、無線リソース測定（ＲＲＭ：Ｒａｄｉｏ  Ｒｅｓｏｕｒｃｅ  Ｍｅａｓｕｒｅｍｅｎｔ）に用いられてよい。また、参照信号の少なくとも１つは、ビームマネジメントに用いられてよい。無線リソース測定のことを以下では単に測定とも称する。
【００８６】
また、参照信号の少なくとも１つに、同期信号が含まれてもよい。
【００８７】
端末装置２と基地局装置３の上りリンク無線通信（端末装置２から基地局装置３の無線通信）では、以下の上りリンク物理チャネルが用いられる。上りリンク物理チャネルは、上位層から出力された情報を送信するために使用される。
・ＮＲ−ＰＵＣＣＨ（Ｎｅｗ  Ｒａｄｉｏ  Ｐｈｙｓｉｃａｌ  Ｕｐｌｉｎｋ  Ｃｏｎｔｒｏｌ  ＣＨａｎｎｅｌ）
・ＮＲ−ＰＵＳＣＨ（Ｎｅｗ  Ｒａｄｉｏ  Ｐｈｙｓｉｃａｌ  Ｕｐｌｉｎｋ  Ｓｈａｒｅｄ  ＣＨａｎｎｅｌ）
・ＮＲ−ＰＲＡＣＨ（Ｎｅｗ  Ｒａｄｉｏ  Ｐｈｙｓｉｃａｌ  Ｒａｎｄｏｍ  Ａｃｃｅｓｓ  ＣＨａｎｎｅｌ）
【００８８】
ＮＲ−ＰＵＣＣＨは、上りリンク制御情報（Ｕｐｌｉｎｋ  Ｃｏｎｔｒｏｌ  Ｉｎｆｏｒｍａｔｉｏｎ：ＵＣＩ）を送信するために用いられる。ここで、上りリンク制御情報には、下りリンクのチャネルの状態を示すために用いられるチャネル状態情報（ＣＳＩ：Ｃｈａｎｎｅｌ  Ｓｔａｔｅ  Ｉｎｆｏｒｍａｔｉｏｎ）が含まれてもよい。また、上りリンク制御情報には、ＵＬ−ＳＣＨリソースを要求するために用いられるスケジューリング要求（ＳＲ：Ｓｃｈｅｄｕｌｉｎｇ  Ｒｅｑｕｅｓｔ）が含まれてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）が含まれてもよい。ＨＡＲＱ−ＡＣＫは、下りリンクデータ（Ｔｒａｎｓｐｏｒｔ  ｂｌｏｃｋ，  Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ：ＭＡＣ  ＰＤＵ，Ｄｏｗｎｌｉｎｋ−Ｓｈａｒｅｄ  Ｃｈａｎｎｅｌ：ＤＬ−ＳＣＨ）に対するＨＡＲＱ−ＡＣＫを示してもよい。
【００８９】
ＮＲ−ＰＵＳＣＨは、媒介アクセス（ＭＡＣ：Ｍｅｄｉｕｍ  Ａｃｃｅｓｓ  Ｃｏｎｔｒｏｌ）からの上りリンクデータ（ＵＬ−ＳＣＨ：Ｕｐｌｉｎｋ  Ｓｈａｒｅｄ  ＣＨａｎｎｅｌ）の送信に用いられる。また、上りリンクデータと共にＨＡＲＱ−ＡＣＫおよび
／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００９０】
ＮＲ−ＰＵＳＣＨは、ＲＲＣシグナリング、および、ＭＡＣコントロールエレメントを送信するために用いられてもよい。ここで、ＮＲ−ＰＵＳＣＨは、上りリンクに置いてＵＥの能力（ＵＥ  Ｃａｐａｂｉｌｉｔｙ）の送信に用いられてもよい。
【００９１】
なお、ＮＲ−ＰＤＣＣＨとＮＲ−ＰＵＣＣＨには同一の呼称（例えばＮＲ−ＰＣＣＨ）および／または同一のチャネル定義が用いられてもよいし。ＮＲ−ＰＤＳＣＨとＮＲ−ＰＵＳＣＨには同一の呼称（例えばＮＲ−ＰＳＣＨ）および／または同一のチャネル定義が用いられてもよい。
【００９２】
ＢＣＨ、ＵＬ−ＳＣＨおよびＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。トランスポートブロックは、ＭＡＣ層が物理層に渡す（ｄｅｌｉｖｅｒ）デ−タの単位である。物理層において、トランスポートブロックはコ−ドワードにマップされ、コ−ドワード毎に符号化処理が行なわれる。
【００９３】
以下、ＮＲのサブフレ−ムについて説明する。本実施形態ではサブフレ−ムと称するが、リソースユニット、無線フレ−ム、時間区間、時間間隔などと称されてもよい。また、１つまたは複数のサブフレ−ムが１つの無線フレ−ムを構成してもよい。
【００９４】
図４は、本発明の実施形態に係る下りリンクスロットの概略構成の一例を示す図である。無線フレ−ムのそれぞれは、１０ｍｓ長である。また、無線フレ−ムのそれぞれは１０個のサブフレ−ムおよびＸ個のスロットから構成される。つまり、１サブフレ−ムの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Ｎｏｒｍａｌ  Ｃｙｃｌｉｃ  Ｐｒｅｆｉｘ）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図４は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。
【００９５】
スロットのそれぞれにおいて送信される信号または物理チャネルは、リソースグリッドによって表現されてよい。リソースグリッドは、複数のサブキャリアと複数のＯＦＤＭシンボルによって定義される。下りリンクおよび上りリンクの1つのスロットを構成するサ
ブキャリアの数は、セルの下りリンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００９６】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれ
るＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Ｅｘｔｅｎｄｅｄ  ＣＰ）の場合、１つの物理リソースブロックは、例えば、時間領域において６個の連続するＯＦＤＭシンボルと、周波数領域において１２個の連続するサブキャリアとにより定義される。つまり、1つの物理リソースブロックは、（６×１２）個のリソースエレメントから構成される。
このとき、1つの物理リソースブロックは、時間領域において１つのスロットに対応し、
１５ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００９７】
次に、サブフレ−ム、スロット、ミニスロットについて説明する。図５は、サブフレ−ム、スロット、ミニスロットの時間領域における関係を示した図である。同図のように、３種類の時間ユニットが定義される。サブフレ−ムは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレ−ムには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が７の場合、スロット長は１／（Δｆ／１５）ｍｓで定義されてよい。ここで、Δｆはサブキャリア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００９８】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジュ−リングの最小単位はスロットまたはミニスロットでよい。
【００９９】
図６は、スロットまたはサブフレ−ム（サブフレ−ムタイプ）の一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパ−ト（デュレ−ション）
・ギャップ
・上りリンクパ−ト（デュレ−ション）
のうち１つまたは複数を含んでよい。
【０１００】
図６（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図６（ｂ）は、最初の時間リソースで例えばＰＣＣHを介して上りリンクのスケジュ
−リングを行い、ＰＣＣＨの処理遅延及び下りから上りの切り替え時間、送信信号の生成のためのギャップを介して上りリンク信号を送信する。図６（ｃ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介してＰＳＣＨまたはＰＣＣＨの送信に用いられる。ここで、一例としては、上りリンク信号はＨＡＲ
Ｑ−ＡＣＫおよび／またはＣＳＩ、すなわちＵＣＩの送信に用いられてよい。図６（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデ−タ、すなわちＵＬ−ＳＣＨの送信に用いられてもよい。図６（ｅ）は、全て上りリンク送信（上りリンクのＰＳＣＨまたはＰＣＣＨ）に用いられている例である。
【０１０１】
上述の下りリンクパ−ト、上りリンクパ−トは、ＬＴＥと同様複数のＯＦＤＭシンボルで構成されてよい。
【０１０２】
次に、本実施形態の無線プロトコル構造について説明する。
【０１０３】
本実施形態では、端末装置２及び基地局装置３のユーザデータを扱うプロトコルスタックをユーザプレーン（ＵＰ（Ｕｓｅｒ−ｐｌａｎｅ、Ｕ−Ｐｌａｎｅ））プロトコルスタック、制御デ−タを扱うプロトコルスタックを制御プレ−ン（ＣＰ（Ｃｏｎｔｒｏｌ−ｐｌａｎｅ、Ｃ−Ｐｌａｎｅ））プロトコルスタックと称する。
【０１０４】
物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデ−タが移動する。端末装置２と基地局装置３のＰＨＹ層間において、物理チャネルを介してデ−タの送受信が行われる。
【０１０５】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能などを持つ。
【０１０６】
ＲＬＣ層は、上位層から受信したデ−タを分割（Ｓｅｇｍｅｎｔａｔｉｏｎ）し、下位層が適切にデ−タ送信できるようにデ−タサイズを調節する。また、ＲＬＣ層は、各デ−タが要求するＱｏＳ（Ｑｕａｌｉｔｙ  ｏｆ  Ｓｅｒｖｉｃｅ）を保証するための機能も持つ。すなわち、ＲＬＣ層は、デ−タの再送制御等の機能を持つ。
【０１０７】
パケットデータコンバージェンスプロトコル層（Ｐａｃｋｅｔ  Ｄａｔａ  Ｃｏｎｖｅｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持ってもよい。また、ＰＤＣＰ層は、デ−タの暗号化の機能も持ってもよい。
【０１０８】
さらに、制御プレ−ンプロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送
信する経路として利用されてもよい。基地局装置３と端末装置２のＲＲＣ層間で各ＲＢの設定が行われてもよい。
【０１０９】
ＳＲＢはＲＲＣメッセージとＮＡＳメッセージを送信するために用いられる無線ベアラとして定義される。さらに、ＳＲＢは、ＣＣＣＨ論理チャネルを用いるＲＲＣメッセージのためのＳＲＢ（ＳＲＢ０）、ＤＣＣＨ論理チャネルを用いるＲＲＣメッセージとＳＲＢ２の確立よりも前に送信されるＮＡＳメッセージのためのＳＲＢ（ＳＲＢ１）、ＤＣＣＨ論理チャネルを用いるＮＡＳメッセージと記録された測定情報（Ｌｏｇｇｅｄ  ｍｅａｓｕｒｅｍｅｎｔ  ｉｎｆｏｒｍａｔｉｏｎ）などを含むＲＲＣメッセージのためのＳＲＢ（ＳＲＢ２）、が定義されてよい。また、それ以外のＳＲＢが定義されてよい。
【０１１０】
ＭＣＧ  ＳＲＢは、ＭＣＧのＳＲＢを用いて、送信される。ＭＣＧ  Ｓｐｌｉｔ  ＳＲＢは、ＭＣＧまたはＳＣＧのＳＲＢを用いて、送信されるが、ＰＤＣＰが、ＭＣＧ側に配置されるので、本明細書では、ＭＣＧ  ＳＲＢとして説明する。すなわち、“ＭＣＧ  ＳＲＢ“は、“ＭＣＧ  ＳＲＢおよび／またはＭＣＧ  Ｓｐｌｉｔ  ＳＲＢ“と置き換えてもよい。ＳＣＧ  ＳＲＢは、ＳＣＧのＳＲＢを用いて、送信される。ＳＣＧ  Ｓｐｌｉｔ
ＳＲＢは、ＭＣＧまたはＳＣＧのＳＲＢを用いて、送信されるが、ＰＤＣＰが、ＳＣＧ側に配置されるので、本明細書では、ＳＣＧ  ＳＲＢとして説明する。すなわち、“ＳＣＧ  ＳＲＢ“は、“ＳＣＧ  ＳＲＢおよび／またはＳＣＧ  Ｓｐｌｉｔ  ＳＲＢ“と置き換えてもよい。
【０１１１】
また、ＭＣＧ  ＳＲＢにはＳＲＢ０とＳＲＢ１とＳＲＢ２とが用意されるかもしれない。また、ＳＣＧ  ＳＲＢにはＳＲＢ０および／またはＳＲＢ１が用意されないかもしれない。
【０１１２】
また、ＭＣＧ  ＳＲＢでは、ＮＡＳメッセージおよびＲＲＣメッセージを送ることができ、ＳＣＧ  ＳＲＢでは、ＲＲＣメッセージを送ることができるようにしてもよい。ＳＣＧ  ＳＲＢでは、ＮＡＳメッセージを送ることができないようにしてもよい。
【０１１３】
なお、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデ−タリンク層に対応し、ＲＲＣ層はＯＳＩモデルの第三層であるネットワーク層に対応する。
【０１１４】
上記のＭＡＣ層、ＲＬＣ層及びＰＤＣＰ層の機能分類は一例であり、各機能の一部あるいは全部が実装されなくてもよい。また、各層の機能の一部あるいは全部が他の層に含まれてもよい。例えば、物理層から見れば、ＭＡＣ層のコントロ−ルエレメント、およびＲＲＣシグナリングは、上位層の信号である。例えば、ＭＡＣ層から見れば、ＲＲＣシグナリングは、上位層の信号である。ＲＲＣ層から見れば、ＭＡＣ層および物理層は、下位層である。ＲＲＣ層から見て、例えばＮＡＳ層は、上層（Ｕｐｐｅｒ  Ｌａｙｅｒ）とも称する。
【０１１５】
また、ネットワークと端末装置２との間で用いられるシグナリングプロトコルは、アクセス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置２と基地局装置３との間で用いられるアクセス層プロトコルである。また、端末装置２の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置２とコアネットワーク（ＣＮ）との間で用いられる。例えば、端末装置２とモバイル管理エンティティ（Ｍｏｂｉｌｉｔｙ  Ｍ
ａｎａｇｅｍｅｎｔ  Ｅｎｔｉｔｙ：ＭＭＥ）との間で、非アクセス層プロトコルを用いた通信が、基地局装置３を介して透過的に行われる。
【０１１６】
ＬＴＥの測定（ｍｅａｓｕｒｅｍｅｎｔ）について、説明を行う。
【０１１７】
基地局装置３は、端末装置２に対して、ＲＲＣシグナリング（無線リソース制御信号）のＲＲＣ接続再設定（ＲＲＣＣｏｎｎｅｃｔｉｏｎＲｅｃｏｎｆｉｇｕｒａｔｉｏｎ）メッセージを使って、測定設定（Ｍｅａｓｕｒｅｍｅｎｔ  ｃｏｎｆｉｇｕｒａｔｉｏｎ）メッセージを送信する。端末装置２は、測定設定（Ｍｅａｓｕｒｅｍｅｎｔ  ｃｏｎｆｉｇｕｒａｔｉｏｎ）メッセージに含まれるシステム情報を設定するとともに、通知されたシステム情報に従って、サービングセルおよび隣接セル（リストセル（ｌｉｓｔｅｄ  ｃｅｌｌ）および／または検出セル（ｄｅｔｅｃｔｅｄ  ｃｅｌｌ）を含む）に対する測定、イベント評価、測定報告を行う。リストセルは、測定対象（Ｍｅａｓｕｒｅｍｅｎｔ  ｏｂｊｅｃｔ）にリストされているセル（基地局装置３から端末装置２へ隣接セルリストとして通知されているセル）である。検出セルは、測定対象（Ｍｅａｓｕｒｅｍｅｎｔ  ｏｂｊｅｃｔ）によって指示された周波数において端末装置２が検出したが測定対象（Ｍｅａｓｕｒｅｍｅｎｔ  ｏｂｊｅｃｔ）にはリストされていないセル（隣接セルリストとして通知されていない端末装置２自身が検出したセル）である。
【０１１８】
測定（ｍｅａｓｕｒｅｍｅｎｔ）には、３つのタイプ（周波数内測定（ｉｎｔｒａ−ｆｒｅｑｕｅｎｃｙ  ｍｅａｓｕｒｅｍｅｎｔｓ）、周波数間測定（ｉｎｔｅｒ−ｆｒｅｑｕｅｎｃｙ  ｍｅａｓｕｒｅｍｅｎｔｓ）、無線アクセス技術間測定（ｉｎｔｅｒ−ＲＡＴ  ｍｅａｓｕｒｅｍｅｎｔｓ））がある。周波数内測定（ｉｎｔｒａ−ｆｒｅｑｕｅｎｃｙ  ｍｅａｓｕｒｅｍｅｎｔｓ）は、サービングセルの下りリンク周波数（下りリンク周波数）での測定である。周波数間測定（ｉｎｔｅｒ−ｆｒｅｑｕｅｎｃｙ  ｍｅａｓｕｒｅｍｅｎｔｓ）は、サービングセルの下りリンク周波数とは異なる周波数での測定である。無線アクセス技術間測定（ｉｎｔｅｒ−ＲＡＴ  ｍｅａｓｕｒｅｍｅｎｔｓ）は、サービングセルの無線技術（例えばＥＵＴＲＡ）とは異なる無線技術（例えばＵＴＲＡ、ＧＥＲＡＮ，ＣＤＭＡ２０００など）での測定である。さらに、無線アクセス技術間測定には、ＮＲの測定が含まれてもよい。
【０１１９】
測定設定（Ｍｅａｓｕｒｅｍｅｎｔ  ｃｏｎｆｉｇｕｒａｔｉｏｎ）メッセージには、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）などが含まれる。
【０１２０】
＜数量設定（ｑｕａｎｔｉｔｙＣｏｎｆｉｇ）＞
数量設定（ｑｕａｎｔｉｔｙＣｏｎｆｉｇ）は、測定対象（Ｍｅａｓｕｒｅｍｅｎｔ  ｏｂｊｅｃｔｓ）がＥＵＴＲＡの場合、第３層フィルタ係数（Ｌ３  ｆｉｌｔｅｒｉｎｇ
ｃｏｅｆｆｉｃｉｅｎｔ）を指定する。第３層フィルタ係数（Ｌ３  ｆｉｌｔｅｒｉｎｇ  ｃｏｅｆｆｉｃｉｅｎｔ）は、最新の測定結果と、過去のフィルタリング測定結果との比（割合）を規定する。フィルタリング結果は、端末装置２でイベント評価に利用される。
【０１２１】
＜測定ギャップ設定（ｍｅａｓＧａｐＣｏｎｆｉｇ）＞
測定ギャップ設定（ｍｅａｓＧａｐＣｏｎｆｉｇ）は、測定ギャップパターン（ｍｅａｓｕｒｅｍｅｎｔ  ｇａｐ  ｐａｔｔｅｒｎ）の設定や、測定ギャップ（ｍｅａｓｕｒｅｍｅｎｔ  ｇａｐ）の活性化（ａｃｔｉｖａｔｉｏｎ）／非活性化（ｄｅａｃｔｉｖａｔ
ｉｏｎ）を制御するために利用される。測定ギャップ設定（ｍｅａｓＧａｐＣｏｎｆｉｇ）では、測定ギャップを活性化させる場合の情報として、ギャップパターン（ｇａｐ  ｐａｔｔｅｒｎ）、開始システムフレ−ム番号（ｓｔａｒｔＳＦＮ）、開始サブフレ−ム番号（ｓｔａｒｔＳｕｂｆｒａｍｅＮｕｍｂｅｒ）が通知される。ギャップパターン（ｇａｐ  ｐａｔｔｅｒｎ）は、測定ギャップ（ｍｅａｓｕｒｅｍｅｎｔ  ｇａｐ）として、どのパターンを使うかを規定する。開始システムフレ−ム番号（ｓｔａｒｔＳＦＮ）は、測定ギャップ（ｍｅａｓｕｒｅｍｅｎｔ  ｇａｐ）を開始するＳＦＮ（Ｓｙｓｔｅｍ  Ｆｒａｍｅ  Ｎｕｍｂｅｒ）を規定する。開始サブフレ−ム番号（ｓｔａｒｔＳｕｂｆｒａｍｅＮｕｍｂｅｒ）は、測定ギャップ（ｍｅａｓｕｒｅｍｅｎｔ  ｇａｐ）を開始するサブフレ−ム番号を規定する。また、測定ギャップ設定はセル毎、セルグループ毎、コンポーネントキャリア毎、サービングセル毎、あるいは既定の周波数範囲毎に独立して設定されてもよい。
【０１２２】
＜サービングセル品質閾値（ｓ−Ｍｅａｓｕｒｅ）＞
サービングセル品質閾値（ｓ−Ｍｅａｓｕｒｅ）は、サービングセルの品質に関する閾値を表し、端末装置２が測定（ｍｅａｓｕｒｅｍｅｎｔ）を行う必要があるか否かを制御するために利用される。サービングセル品質閾値（ｓ−Ｍｅａｓｕｒｅ）は、参照信号受信電力（ＲＳＲＰ）に対する値として設定される。
【０１２３】
＜測定識別子（ｍｅａｓＩｄ）＞
ここで、測定識別子（ｍｅａｓＩｄ）は、測定対象（Ｍｅａｓｕｒｅｍｅｎｔ  ｏｂｊｅｃｔｓ）と、報告設定（Ｒｅｐｏｒｔｉｎｇ  ｃｏｎｆｉｇｕｒａｔｉｏｎｓ）とをリンクさせるために利用され、具体的には、測定対象識別子（ｍｅａｓＯｂｊｅｃｔＩｄ）と報告設定識別子（ｒｅｐｏｒｔＣｏｎｆｉｇＩｄ）とをリンクさせる。測定識別子（ｍｅａｓＩｄ）には、一つの測定対象識別子（ｍｅａｓＯｂｊｅｃｔＩｄ）と一つの報告設定識別子（ｒｅｐｏｒｔＣｏｎｆｉｇＩｄ）が対応付けられる。測定設定（Ｍｅａｓｕｒｅｍｅｎｔ  ｃｏｎｆｉｇｕｒａｔｉｏｎ）メッセージは、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の関係に対して追加・修正・削除することが可能である。
【０１２４】
ｍｅａｓＯｂｊｅｃｔＴｏＲｅｍｏｖｅＬｉｓｔは、指定された測定対象識別子（ｍｅａｓＯｂｊｅｃｔＩｄ）および指定された測定対象識別子（ｍｅａｓＯｂｊｅｃｔＩｄ）に対応する測定対象（Ｍｅａｓｕｒｅｍｅｎｔ  ｏｂｊｅｃｔｓ）を削除するコマンドである。この際、指定された測定対象識別子（ｍｅａｓＯｂｊｅｃｔＩｄ）に対応付けられたすべての測定識別子（ｍｅａｓＩｄ）は、削除される。このコマンドは、同時に複数の測定対象識別子（ｍｅａｓＯｂｊｅｃｔＩｄ）の指定が可能である。
【０１２５】
ｍｅａｓＯｂｊｅｃｔＴｏＡｄｄＭｏｄｉｆｙＬｉｓｔは、指定された測定対象識別子（ｍｅａｓＯｂｊｅｃｔＩｄ）を指定された測定対象（Ｍｅａｓｕｒｅｍｅｎｔ  ｏｂｊｅｃｔｓ）に修正、または、指定された測定対象識別子（ｍｅａｓＯｂｊｅｃｔＩｄ）と指定された測定対象（Ｍｅａｓｕｒｅｍｅｎｔ  ｏｂｊｅｃｔｓ）を追加するコマンドである。このコマンドは、同時に複数の測定対象識別子（ｍｅａｓＯｂｊｅｃｔＩｄ）の指定が可能である。
【０１２６】
ｒｅｐｏｒｔＣｏｎｆｉｇＴｏＲｅｍｏｖｅＬｉｓｔは、指定された報告設定識別子（ｒｅｐｏｒｔＣｏｎｆｉｇＩｄ）および指定された報告設定識別子（ｒｅｐｏｒｔＣｏｎｆｉｇＩｄ）に対応する報告設定（Ｒｅｐｏｒｔｉｎｇ  ｃｏｎｆｉｇｕｒａｔｉｏｎｓ）を削除するコマンドである。この際、指定された報告設定識別子（ｒｅｐｏｒｔＣｏｎｆｉｇＩｄ）に対応付けられたすべての測定識別子（ｍｅａｓＩｄ）は、削除される。こ
のコマンドは、同時に複数の報告設定識別子（ｒｅｐｏｒｔＣｏｎｆｉｇＩｄ）の指定が可能である。
【０１２７】
ｒｅｐｏｒｔＣｏｎｆｉｇＴｏＡｄｄＭｏｄｉｆｙＬｉｓｔは、指定された報告設定識別子（ｒｅｐｏｒｔＣｏｎｆｉｇＩｄ）を指定された報告設定（Ｒｅｐｏｒｔｉｎｇ  ｃｏｎｆｉｇｕｒａｔｉｏｎｓ）に修正、または、指定された報告設定識別子（ｒｅｐｏｒｔＣｏｎｆｉｇＩｄ）と指定された報告設定（Ｒｅｐｏｒｔｉｎｇ  ｃｏｎｆｉｇｕｒａｔｉｏｎｓ）を追加するコマンドである。このコマンドは、同時に複数の報告設定識別子（ｒｅｐｏｒｔＣｏｎｆｉｇＩｄ）の指定が可能である。
【０１２８】
ｍｅａｓＩｄＴｏＲｅｍｏｖｅＬｉｓｔは、指定された測定識別子（ｍｅａｓＩｄ）を削除するコマンドである。この際、指定された測定識別子（ｍｅａｓＩｄ）に対応付けられた測定対象識別子（ｍｅａｓＯｂｊｅｃｔＩｄ）と報告設定識別子（ｒｅｐｏｒｔＣｏｎｆｉｇＩｄ）は、削除されずに維持される。このコマンドは、同時に複数の測定識別子（ｍｅａｓＩｄ）の指定が可能である。
【０１２９】
ｍｅａｓＩｄＴｏＡｄｄＭｏｄｉｆｙＬｉｓｔは、指定された測定識別子（ｍｅａｓＩｄ）を指定された測定対象識別子（ｍｅａｓＯｂｊｅｃｔＩｄ）と指定された報告設定識別子（ｒｅｐｏｒｔＣｏｎｆｉｇＩｄ）に対応付けるように修正、または、指定された測定対象識別子（ｍｅａｓＯｂｊｅｃｔＩｄ）と指定された報告設定識別子（ｒｅｐｏｒｔＣｏｎｆｉｇＩｄ）を指定された測定識別子（ｍｅａｓＩｄ）に対応付けし、指定された測定識別子（ｍｅａｓＩｄ）を追加するコマンドである。このコマンドは、同時に複数の測定識別子（ｍｅａｓＩｄ）の指定が可能である。
【０１３０】
＜測定対象（Ｍｅａｓｕｒｅｍｅｎｔ  ｏｂｊｅｃｔｓ）＞
測定対象（Ｍｅａｓｕｒｅｍｅｎｔ  ｏｂｊｅｃｔｓ）は、ＲＡＴおよび周波数ごとに規定されている。また、報告設定（Ｒｅｐｏｒｔｉｎｇ  ｃｏｎｆｉｇｕｒａｔｉｏｎｓ）は、ＥＵＴＲＡに対する規定と、ＥＵＴＲＡ以外のＲＡＴに対する規定がある。
【０１３１】
測定対象（Ｍｅａｓｕｒｅｍｅｎｔ  ｏｂｊｅｃｔｓ）には、測定対象識別子（ｍｅａｓＯｂｊｅｃｔＩｄ）と対応付けられた測定対象ＥＵＴＲＡ（ｍｅａｓＯｂｊｅｃｔＥＵＴＲＡ）、測定対象ＵＴＲＡ（ｍｅａｓＯｂｊｅｃｔＵＴＲＡ）、測定対象ＧＥＲＡＮ（ｍｅａｓＯｂｊｅｃｔＧＥＲＡＮ）、測定対象ＣＤＭＡ２０００（ｍｅａｓＯｂｊｅｃｔＣＤＭＡ２０００）、測定対象ＷＬＡＮ（ｍｅａｓＯｂｊｅｃｔＷＬＡＮ）などが含まれる。また、測定対象（Ｍｅａｓｕｒｅｍｅｎｔ  ｏｂｊｅｃｔｓ）には、測定対象識別子（ｍｅａｓＯｂｊｅｃｔＩｄ）と対応付けられた測定対象ＮＲ（ｍｅａｓＯｂｊｅｃｔＮＲ）が含まれてもよい。
【０１３２】
測定対象識別子（ｍｅａｓＯｂｊｅｃｔＩｄ）は、測定対象（Ｍｅａｓｕｒｅｍｅｎｔ
ｏｂｊｅｃｔｓ）の設定を識別するために使用する識別子である。測定対象（Ｍｅａｓｕｒｅｍｅｎｔ  ｏｂｊｅｃｔｓ）の設定は、前述のように、無線アクセス技術（ＲＡＴ）および周波数ごとに規定されている。測定対象（Ｍｅａｓｕｒｅｍｅｎｔ  ｏｂｊｅｃｔｓ）は、ＥＵＴＲＡ、ＵＴＲＡ、ＧＥＲＡＮ、ＣＤＭＡ２０００に対して別途仕様化されている。ＥＵＴＲＡに対する測定対象（Ｍｅａｓｕｒｅｍｅｎｔ  ｏｂｊｅｃｔｓ）である測定対象ＥＵＴＲＡ（ｍｅａｓＯｂｊｅｃｔＥＵＴＲＡ）は、ＥＵＴＲＡの隣接セルに対して適用される情報を規定する。また、測定対象ＥＵＴＲＡ（ｍｅａｓＯｂｊｅｃｔＥＵＴＲＡ）のなかで異なる周波数のものは異なる測定対象（Ｍｅａｓｕｒｅｍｅｎｔ  ｏｂｊｅｃｔｓ）として扱われ、別途測定対象識別子（ｍｅａｓＯｂｊｅｃｔＩｄ）が割り当てられる。
【０１３３】
測定対象ＥＵＴＲＡ（ｍｅａｓＯｂｊｅｃｔＥＵＴＲＡ）には、ＥＵＴＲＡ搬送波周波数情報（ｅｕｔｒａ−ＣａｒｒｉｅｒＩｎｆｏ）、測定帯域幅（ｍｅａｓｕｒｅｍｅｎｔＢａｎｄｗｉｄｔｈ）、オフセット周波数（ｏｆｆｓｅｔＦｒｅｑ）、隣接セルリスト（ｎｅｉｇｈｂｏｕｒ  ｃｅｌｌ  ｌｉｓｔ）に関する情報、ブラックリスト（ｂｌａｃｋ
ｌｉｓｔ）に関する情報が含まれる。
【０１３４】
次に、測定対象ＥＵＴＲＡ（ｍｅａｓＯｂｊｅｃｔＥＵＴＲＡ）に含まれる情報ついて説明する。ＥＵＴＲＡ搬送波周波数情報（ｅｕｔｒａ−ＣａｒｒｉｅｒＩｎｆｏ）は、測定対象とする搬送波周波数を指定する。測定帯域幅（ｍｅａｓｕｒｅｍｅｎｔＢａｎｄｗｉｄｔｈ）は、測定対象とする搬送波周波数で動作する全ての隣接セル共通な測定帯域幅を示す。オフセット周波数（ｏｆｆｓｅｔＦｒｅｑ）は、測定対象とする周波数において適用される測定オフセット値を示す。
【０１３５】
隣接セルリスト（ｎｅｉｇｈｂｏｕｒ  ｃｅｌｌ  ｌｉｓｔ）に関する情報は、イベント評価や、測定報告の対象となる隣接セルに関する情報を含む。隣接セルリスト（ｎｅｉｇｈｂｏｕｒ  ｃｅｌｌ  ｌｉｓｔ）に関する情報としては、物理セル識別子（ｐｈｙｓｉｃａｌ  ｃｅｌｌ  ＩＤ）や、セル固有オフセット（ｃｅｌｌＩｎｄｉｖｉｄｕａｌＯｆｆｓｅｔ、隣接セルに対して適用する測定オフセット値を示す）などが含まれている。この情報は、ＥＵＴＲＡの場合、端末装置２が、既に、報知情報（報知されるシステム情報）から既に取得している隣接セルリスト（ｎｅｉｇｈｂｏｕｒ  ｃｅｌｌ  ｌｉｓｔ）に対して、追加・修正または削除を行うための情報として利用される。
【０１３６】
また、ブラックリスト（ｂｌａｃｋ  ｌｉｓｔ）に関する情報は、イベント評価や、測定報告の対象とならない隣接セルに関する情報を含む。ブラックリスト（ｂｌａｃｋ  ｌｉｓｔ）に関する情報としては、物理セル識別子（ｐｈｙｓｉｃａｌ  ｃｅｌｌ  ＩＤ）などが含まれる。この情報は、ＥＵＴＲＡの場合、端末装置２が、既に、報知情報から取得しているブラックセルリスト（ｂｌａｃｋ  ｌｉｓｔｅｄ  ｃｅｌｌ  ｌｉｓｔ）に対して、追加・修正または削除を行うための情報として利用される。
【０１３７】
＜報告設定（Ｒｅｐｏｒｔｉｎｇ  ｃｏｎｆｉｇｕｒａｔｉｏｎｓ）＞
報告設定（Ｒｅｐｏｒｔｉｎｇ  ｃｏｎｆｉｇｕｒａｔｉｏｎｓ）には、報告設定識別子（ｒｅｐｏｒｔＣｏｎｆｉｇＩｄ）と対応付けられた報告設定ＥＵＴＲＡ（ｒｅｐｏｒｔＣｏｎｆｉｇＥＵＴＲＡ）などが含まれる。
【０１３８】
報告設定識別子（ｒｅｐｏｒｔＣｏｎｆｉｇＩｄ）は、測定に関する報告設定（Ｒｅｐｏｒｔｉｎｇ  ｃｏｎｆｉｇｕｒａｔｉｏｎｓ）を識別するために使用する識別子である。測定に関する報告設定（Ｒｅｐｏｒｔｉｎｇ  ｃｏｎｆｉｇｕｒａｔｉｏｎｓ）は、前述のように、ＥＵＴＲＡに対する規定と、ＥＵＴＲＡ以外のＲＡＴ（ＵＴＲＡ、ＧＥＲＡＮ、ＣＤＭＡ２０００）に対する規定がある。ＥＵＴＲＡに対する報告設定（Ｒｅｐｏｒｔｉｎｇ  ｃｏｎｆｉｇｕｒａｔｉｏｎｓ）である報告設定ＥＵＴＲＡ（ｒｅｐｏｒｔＣｏｎｆｉｇＥＵＴＲＡ）は、ＥＵＴＲＡにおける測定の報告に利用するイベントのトリガ条件（ｔｒｉｇｇｅｒｉｎｇ  ｃｒｉｔｅｒｉａ）を規定する。
【０１３９】
また、報告設定ＥＵＴＲＡ（ｒｅｐｏｒｔＣｏｎｆｉｇＥＵＴＲＡ）には、イベント識別子（ｅｖｅｎｔＩｄ）、トリガ量（ｔｒｉｇｇｅｒＱｕａｎｔｉｔｙ）、ヒステリシス（ｈｙｓｔｅｒｅｓｉｓ）、トリガ時間（ｔｉｍｅＴｏＴｒｉｇｇｅｒ）、報告量（ｒｅｐｏｒｔＱｕａｎｔｉｔｙ）、最大報告セル数（ｍａｘＲｅｐｏｒｔＣｅｌｌｓ）、報告間隔（ｒｅｐｏｒｔＩｎｔｅｒｖａｌ）、報告回数（ｒｅｐｏｒｔＡｍｏｕｎｔ）が含まれる。
【０１４０】
次に、報告設定ＥＵＴＲＡ（ｒｅｐｏｒｔＣｏｎｆｉｇＥＵＴＲＡ）について説明する。イベント識別子（ｅｖｅｎｔＩｄ）は、イベントトリガ報告（ｅｖｅｎｔ  ｔｒｉｇｇｅｒｅｄ  ｒｅｐｏｒｔｉｎｇ）に関する条件（ｃｒｉｔｅｒｉａ）を選択するために利用される。ここで、イベントトリガ報告（ｅｖｅｎｔ  ｔｒｉｇｇｅｒｅｄ  ｒｅｐｏｒｔｉｎｇ）とは、イベントトリガ条件を満たした場合に、測定を報告する方法である。この他に、イベントトリガ条件を満たした場合に、一定間隔で、ある回数だけ測定を報告するというイベントトリガ定期報告（ｅｖｅｎｔ  ｔｒｉｇｇｅｒｅｄ  ｐｅｒｉｏｄｉｃ
ｒｅｐｏｒｔｉｎｇ）もある。
【０１４１】
イベントトリガ条件としては、後述の８種類が少なくとも規定されている。すなわち、イベント識別子（ｅｖｅｎｔＩｄ）によって指定されたイベントトリガ条件を満たした場合、端末装置２は、基地局装置３に対して、測定報告（ｍｅａｓｕｒｅｍｅｎｔ  ｒｅｐｏｒｔ）を行う。トリガ量（ｔｒｉｇｇｅｒＱｕａｎｔｉｔｙ）は、イベントトリガ条件を評価するために利用する量である。すなわち、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、または、参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）が指定される。すなわち、端末装置２は、このトリガ量（ｔｒｉｇｇｅｒＱｕａｎｔｉｔｙ）によって指定された量を利用して、下りリンク参照信号の測定を行い、イベント識別子（ｅｖｅｎｔＩｄ）で指定されたイベントトリガ条件を満たしているか否かを判定する。ヒステリシス（ｈｙｓｔｅｒｅｓｉｓ）は、イベントトリガ条件で利用されるパラメータである。トリガ時間（ｔｉｍｅＴｏＴｒｉｇｇｅｒ）は、イベントトリガ条件を満たすべき期間を示す。報告量（ｒｅｐｏｒｔＱｕａｎｔｉｔｙ）は、測定報告（ｍｅａｓｕｒｅｍｅｎｔ  ｒｅｐｏｒｔ）において報告する量を示す。ここでは、トリガ量（ｔｒｉｇｇｅｒＱｕａｎｔｉｔｙ）で指定した量、または、参照信号受信電力（ＲＳＲＰ）および参照信号受信品質（ＲＳＲＱ）が指定される。ここで、参照信号受信品質（ＲＳＲＱ）は、（Ｎ＊ＲＳＲＰ）／（ＥＵＴＲＡ  Ｃａｒｒｉｅｒ  ＲＳＳＩ）で表される比である。受信信号強度（ＥＵＴＲＡ  Ｃａｒｒｉｅｒ  ＲＳＳＩ）は、全受信信号電力の強さを示し、測定帯域幅はシステム帯域幅と同じである。Ｎは受信信号強度（ＥＵＴＲＡ  Ｃａｒｒｉｅｒ  ＲＳＳＩ）の測定帯域幅に関するリソースブロック（ＲＢ：Ｒｅｓｏｕｒｃｅ  Ｂｌｏｃｋ）数である。最大報告セル数（ｍａｘＲｅｐｏｒｔＣｅｌｌｓ）は、測定報告（ｍｅａｓｕｒｅｍｅｎｔ  ｒｅｐｏｒｔ）に含めるセルの最大数を示す。報告間隔（ｒｅｐｏｒｔＩｎｔｅｒｖａｌ）は、定期報告（ｐｅｒｉｏｄｉｃａｌ  ｒｅｐｏｒｔｉｎｇ）またはイベントトリガ定期報告（ｅｖｅｎｔ  ｔｒｉｇｇｅｒｅｄ  ｐｅｒｉｏｄｉｃ  ｒｅｐｏｒｔｉｎｇ）に対して利用され、報告間隔（ｒｅｐｏｒｔＩｎｔｅｒｖａｌ）で示される間隔ごとに定期報告する。報告回数（ｒｅｐｏｒｔＡｍｏｕｎｔ）は、必要に応じて、定期報告（ｐｅｒｉｏｄｉｃａｌ  ｒｅｐｏｒｔｉｎｇ）を行う回数を規定する。
【０１４２】
尚、後述のイベントトリガ条件で利用する閾値パラメータやオフセットパラメータ（ａ１＿Ｔｈｒｅｓｈｏｌｄ、ａ２＿Ｔｈｒｅｓｈｏｌｄ、ａ３＿Ｏｆｆｓｅｔ、ａ４＿Ｔｈｒｅｓｈｏｌｄ、ａ5＿Ｔｈｒｅｓｈｏｌｄ１、ａ５＿Ｔｈｒｅｓｈｏｌｄ２、ａ６＿Ｏ
ｆｆｓｅｔ、ｃ１＿Ｔｈｒｅｓｈｏｌｄ、ｃ２＿Ｏｆｆｓｅｔ）は、報告設定ＥＵＴＲＡ（ｒｅｐｏｒｔＣｏｎｆｉｇＥＵＴＲＡ）において、イベント識別子（ｅｖｅｎｔＩｄ）と一緒に、端末装置２へ通知される。
【０１４３】
＜イベントトリガ条件について＞
測定報告（ｍｅａｓｕｒｅｍｅｎｔ  ｒｅｐｏｒｔ）をするためのイベントトリガ条件が複数定義されており、それぞれ加入条件と離脱条件がある。すなわち、基地局装置３から指定されたイベントに対する加入条件を満たした端末装置２は、基地局装置３に対して測定報告（ｍｅａｓｕｒｅｍｅｎｔ  ｒｅｐｏｒｔ）を送信する。また、基地局装置３か
ら指定されたイベントに対する離脱条件を満たした端末装置２は、基地局装置３から離脱条件を満たす場合に報告をトリガするように設定されていた場合（報告設定にｒｅｐｏｒｔＯｎＬｅａｖｅが含まれる場合）に、基地局装置３に対して測定報告（ｍｅａｓｕｒｅｍｅｎｔ  ｒｅｐｏｒｔ）を送信する。以下が、各イベントに対する加入条件と離脱条件である。
【０１４４】
＜イベント（Ｅｖｅｎｔ）Ａ１＞
イベント（Ｅｖｅｎｔ）Ａ１加入条件：Ｍｓ−Ｈｙｓ＞ａ１＿Ｔｈｒｅｓｈｏｌｄ
イベント（Ｅｖｅｎｔ）Ａ１離脱条件：Ｍｓ＋Ｈｙｓ＜ａ１＿Ｔｈｒｅｓｈｏｌｄ
＜イベント（Ｅｖｅｎｔ）Ａ２＞
イベント（Ｅｖｅｎｔ）Ａ２加入条件：Ｍｓ−Ｈｙｓ＜ａ２＿Ｔｈｒｅｓｈｏｌｄ
イベント（Ｅｖｅｎｔ）Ａ２離脱条件：Ｍｓ＋Ｈｙｓ＞ａ２＿Ｔｈｒｅｓｈｏｌｄ
＜イベント（Ｅｖｅｎｔ）Ａ３＞
イベント（Ｅｖｅｎｔ）Ａ３加入条件：Ｍｎ＋Ｏｆｎ＋Ｏｃｎ−Ｈｙｓ＞Ｍｓ＋Ｏｆｓ＋Ｏｃｓ＋ａ３＿Ｏｆｆｓｅｔ
イベント（Ｅｖｅｎｔ）Ａ３離脱条件：Ｍｎ＋Ｏｆｎ＋Ｏｃｎ＋Ｈｙｓ＜Ｍｓ＋Ｏｆｓ＋Ｏｃｓ＋ａ３＿Ｏｆｆｓｅｔ
＜イベント（Ｅｖｅｎｔ）Ａ４＞
イベント（Ｅｖｅｎｔ）Ａ４加入条件：Ｍｎ＋Ｏｆｎ＋Ｏｃｎ−Ｈｙｓ＞ａ４＿Ｔｈｒｅｓｈｏｌｄ
イベント（Ｅｖｅｎｔ）Ａ４離脱条件：Ｍｎ＋Ｏｆｎ＋Ｏｃｎ＋Ｈｙｓ＜ａ４＿Ｔｈｒｅｓｈｏｌｄ
＜イベント（Ｅｖｅｎｔ）Ａ５＞
イベント（Ｅｖｅｎｔ）Ａ５加入条件：Ｍｓ−Ｈｙｓ＜ａ５＿Ｔｈｒｅｓｈｏｌｄ１，Ｍｎ＋Ｏｆｎ＋Ｏｃｎ-Ｈｙｓ＞ａ５＿Ｔｈｒｅｓｈｏｌｄ２
イベント（Ｅｖｅｎｔ）Ａ５離脱条件：Ｍｓ＋Ｈｙｓ＞ａ５＿Ｔｈｒｅｓｈｏｌｄ１，Ｍｎ＋Ｏｆｎ＋Ｏｃｎ＋Ｈｙｓ＜ａ５＿Ｔｈｒｅｓｈｏｌｄ２
＜イベント（Ｅｖｅｎｔ）Ａ６＞
イベント（Ｅｖｅｎｔ）Ａ６加入条件：Ｍｎ＋Ｏｃｎ−Ｈｙｓ＞Ｍｓ＋Ｏｃｓ＋ａ６＿Ｏｆｆｓｅｔ
イベント（Ｅｖｅｎｔ）Ａ６離脱条件：Ｍｎ＋Ｏｃｎ＋Ｈｙｓ＜Ｍｓ＋Ｏｃｓ＋ａ６＿Ｏｆｆｓｅｔ
＜イベント（Ｅｖｅｎｔ）Ｃ１＞
イベント（Ｅｖｅｎｔ）Ｃ１加入条件：Ｍｃｒ＋Ｏｃｒ−Ｈｙｓ＞ｃ１＿Ｔｈｒｅｓｈｏｌｄ
イベント（Ｅｖｅｎｔ）Ｃ１離脱条件：Ｍｃｒ＋Ｏｃｒ＋Ｈｙｓ＞ｃ１＿Ｔｈｒｅｓｈｏｌｄ
＜イベント（Ｅｖｅｎｔ）Ｃ２＞
イベント（Ｅｖｅｎｔ）Ｃ２加入条件：Ｍｃｒ＋Ｏｃｒ−Ｈｙｓ＞Ｍｒｅｆ＋Ｏｒｅｆ＋ｃ２＿Ｏｆｆｓｅｔ
イベント（Ｅｖｅｎｔ）Ｃ２離脱条件：Ｍｃｒ＋Ｏｃｒ＋Ｈｙｓ＞Ｍｒｅｆ＋Ｏｒｅｆ＋ｃ２＿Ｏｆｆｓｅｔ
【０１４５】
ここで、Ｍｓとは、サービングセルに対する測定結果である（セル特有の測定オフセット値を考慮しない）。Ｍｎとは、隣接セル（ｎｅｉｇｈｂｏｕｒ  ｃｅｌｌ）に対する測定結果である。Ｍｃｒとは、ＣＳＩ−ＲＳリソースの測定結果である（いずれの測定オフセット値も考慮しない）。Ｍｒｅｆとは、参照ＣＳＩ−ＲＳリソースの測定結果である（いずれの測定オフセット値も考慮しない）。参照ＣＳＩ−ＲＳリソースは、測定対象ＥＵＴＲＡ（ｍｅａｓＯｂｊｅｃｔＥＵＴＲＡ）で通知されるｃ２−ＲｅｆＣＳＩ−ＲＳとして定義される。Ｈｙｓとは、対象とするイベントに対するヒステリシスパラメータである
。
【０１４６】
Ｏｆｎとは、隣接セルの周波数に対する周波数特有の測定オフセット値である。Ｏｆｎは、測定対象ＥＵＴＲＡ（ｍｅａｓＯｂｊｅｃｔＥＵＴＲＡ）のオフセット周波数（ｏｆｆｓｅｔＦｒｅｑ）に相当する。周波数内測定（ｉｎｔｒａ−ｆｒｅｑｕｅｎｃｙ  ｍｅａｓｕｒｅｍｅｎｔｓ）の場合、Ｏｆｎは、Ｏｆｓと同じである。周波数間測定（ｉｎｔｅｒ−ｆｒｅｑｕｅｎｃｙ  ｍｅａｓｕｒｅｍｅｎｔｓ）の場合、Ｏｆｎは、サービングセルとは異なる下りリンク周波数に対応する測定対象ＥＵＴＲＡ（ｍｅａｓＯｂｊｅｃｔＥＵＴＲＡ）に含まれるオフセット周波数（ｏｆｆｓｅｔＦｒｅｑ）である。
【０１４７】
Ｏｃｎとは、隣接セルに対するセル特有の測定オフセット値である。Ｏｃｎは、測定対象ＥＵＴＲＡ（ｍｅａｓＯｂｊｅｃｔＥＵＴＲＡ）のセル固有オフセット（ｃｅｌｌＩｎｄｉｖｉｄｕａｌＯｆｆｓｅｔ）に相当する。Ｏｃｎが設定されていない場合は、測定オフセット値を０とする。周波数内測定（ｉｎｔｒａ−ｆｒｅｑｕｅｎｃｙ  ｍｅａｓｕｒｅｍｅｎｔｓ）の場合、Ｏｃｎは、サービングセルと同じ下りリンク周波数の測定対象ＥＵＴＲＡ（ｍｅａｓＯｂｊｅｃｔＥＵＴＲＡ）に含まれるセル固有オフセット（ｃｅｌｌＩｎｄｉｖｉｄｕａｌＯｆｆｓｅｔ）である。周波数間測定（ｉｎｔｅｒ−ｆｒｅｑｕｅｎｃｙ  ｍｅａｓｕｒｅｍｅｎｔｓ）の場合、Ｏｃｎは、サービングセルとは異なる下りリンク周波数に対応する測定対象ＥＵＴＲＡ（ｍｅａｓＯｂｊｅｃｔＥＵＴＲＡ）に含まれるセル固有オフセット（ｃｅｌｌＩｎｄｉｖｉｄｕａｌＯｆｆｓｅｔ）である。
【０１４８】
Ｏｃｒとは、ＣＳＩ−ＲＳ特有の測定オフセット値である。Ｏｃｒは、ＣＳＩ−ＲＳリソースの周波数に関連する測定対象ＥＵＴＲＡ（ｍｅａｓＯｂｊｅｃｔＥＵＴＲＡ）のＣＳＩ−ＲＳ固有オフセット（ｃｓｉ−ＲＳ−ＩｎｄｉｖｉｄｕａｌＯｆｆｓｅｔ）に相当する。Ｏｃｒが設定されていない場合は、測定オフセット値を０とする。
【０１４９】
Ｏｆｓとは、サービングセルの周波数に対する周波数特有のオフセット値である。Ｏｆｓは、測定対象ＥＵＴＲＡ（ｍｅａｓＯｂｊｅｃｔＥＵＴＲＡ）のオフセット周波数（ｏｆｆｓｅｔＦｒｅｑ）に相当する。
【０１５０】
Ｏｃｓとは、サービングセルに対するセル特有の測定オフセット値である。Ｏｃｓは、サービングセルの周波数の測定対象ＥＵＴＲＡ（ｍｅａｓＯｂｊｅｃｔＥＵＴＲＡ）のセル固有オフセット（ｃｅｌｌＩｎｄｉｖｉｄｕａｌＯｆｆｓｅｔ）に含まれる。
【０１５１】
ａ１＿Ｔｈｒｅｓｈｏｌｄとは、イベントＡ１に対して利用される閾値パラメータである。ａ２＿Ｔｈｒｅｓｈｏｌｄとは、イベントＡ２に対して利用される閾値パラメータである。ａ３＿Ｏｆｆｓｅｔとは、イベントＡ３に対して利用されるオフセットパラメータである。ａ４＿Ｔｈｒｅｓｈｏｌｄとは、イベントＡ４に対して利用される閾値パラメータである。ａ５＿Ｔｈｒｅｓｈｏｌｄ１とａ５＿Ｔｈｒｅｓｈｏｌｄ２とは、イベントＡ５に対して利用される閾値パラメータである。ａ６＿Ｏｆｆｓｅｔとは、イベントＡ６に対して利用されるオフセットパラメータである。ｃ１＿Ｔｈｒｅｓｈｏｌｄとは、イベントＣ１に対して利用される閾値パラメータである。ｃ２＿Ｏｆｆｓｅｔとは、イベントＣ２に対して利用されるオフセットパラメータである。
【０１５２】
端末装置２はサービングセルの測定結果Ｍｓ及び隣接セルの測定結果Ｍｎにより各イベントを発生する。サービングセルの測定結果Ｍｓが、各パラメータの適用後、閾値ａ１＿Ｔｈｒｅｓｈｏｌｄよりよい場合、イベントＡ１が発生し、閾値ａ２＿Ｔｈｒｅｓｈｏｌｄより悪い場合、イベントＡ２が発生する。隣接セルの測定結果Ｍｎが、各パラメータの適用後、サービングセル測定結果Ｍｓ及びオフセットａ３＿Ｏｆｆｓｅｔより良い場合、イベントＡ３が発生し、隣接セルの測定結果Ｍｎが、各パラメータの適用後、閾値ａ４＿
Ｔｈｒｅｓｈｏｌｄより良い場合、イベントＡ４が発生する。サービングセルの測定結果Ｍｓが、各パラメータの適用後、閾値ａ５＿Ｔｈｒｅｓｈｏｌｄ１より悪い且つ隣接セルの測定結果Ｍｎが、各パラメータの適用後、閾値ａ５＿Ｔｈｒｅｓｈｏｌｄ２より良い場合、イベントＡ５が発生する。
【０１５３】
また、ＥＵＴＲＡ以外のＲＡＴに対する報告設定（Ｒｅｐｏｒｔｉｎｇ  ｃｏｎｆｉｇｕｒａｔｉｏｎｓ）である報告設定ＩｎｔｅｒＲＡＴ（ｒｅｐｏｒｔＣｏｎｆｉｇＩｎｔｅｒＲＡＴ）には、ＥＵＴＲＡ以外のＲＡＴにおける測定の報告に利用するイベントのトリガ条件（ｔｒｉｇｇｅｒｉｎｇ  ｃｒｉｔｅｒｉａ）が複数定義されている。例えば、隣接セル（他のＲＡＴ）の測定結果が、各パラメータの適用後、ＲＡＴ毎に設定される閾値ｂ１＿Ｔｈｒｅｓｈｏｌｄより良い場合、イベントＢ１が発生する。また、ＰＣｅｌｌの測定結果が、各パラメータの適用後、閾値ｂ２＿Ｔｈｒｅｓｈｏｌｄ１より悪い且つ隣接セル（他のＲＡＴ）の測定結果が、各パラメータの適用後、ＲＡＴ毎に設定される閾値ｂ２＿Ｔｈｒｅｓｈｏｌｄ２より良い場合、イベントＢ２が発生する。
【０１５４】
尚、基地局装置３は、サービングセル品質閾値（ｓ−Ｍｅａｓｕｒｅ）を通知する場合と通知しない場合がある。基地局装置３によってサービングセル品質閾値（ｓ−Ｍｅａｓｕｒｅ）が端末装置２に設定され、さらにサービングセル（ｓｅｒｖｉｎｇ  ｃｅｌｌ）であるＰＣｅｌｌのレイヤ３フィルタリング後の品質（ＲＳＲＰ値）がサービングセル品質閾値（ｓ−Ｍｅａｓｕｒｅ）よりも低いときに、測定対象によって指示された周波数およびＲＡＴの隣接セルの測定を行う。一方、基地局装置３によってサービングセル品質閾値（ｓ−Ｍｅａｓｕｒｅ）が端末装置２に設定されない場合、端末装置２は、サービングセルの品質（ＲＳＲＰ値）によらず、隣接セルの測定を行う。なお、現在の仕様（非特許文献３）では、測定対象がＮＲの場合、サービングセル品質閾値の設定に関係なく、隣接セルの測定を行う。
【０１５５】
＜Ｍｅａｓｕｒｅｍｅｎｔ  Ｒｅｓｕｌｔについて＞
イベントトリガ条件を満たした端末装置２は、基地局装置３に対して、測定報告（Ｍｅａｓｕｒｅｍｅｎｔ  ｒｅｐｏｒｔ）を送信する。測定報告（Ｍｅａｓｕｒｅｍｅｎｔ  ｒｅｐｏｒｔ）には、測定結果（Ｍｅａｓｕｒｅｍｅｎｔ  ｒｅｓｕｌｔ）が含まれる。
【０１５６】
この測定結果（Ｍｅａｓｕｒｅｍｅｎｔ  ｒｅｓｕｌｔ）は、測定識別子（ｍｅａｓＩｄ）、サービングセル測定結果（ｍｅａｓＲｅｓｕｌｔＳｅｒｖｉｎｇ）、ＥＵＴＲＡ測定結果リスト（ｍｅａｓＲｅｓｕｌｔＬｉｓｔＥＵＴＲＡ）で構成される。ここで、ＥＵＴＲＡ測定結果リスト（ｍｅａｓＲｅｓｕｌｔＬｉｓｔＥＵＴＲＡ）には、物理セル識別子（ｐｈｙｓｉｃａｌＣｅｌｌＩｄｅｎｔｉｔｙ）、ＥＵＴＲＡセル測定結果（ｍｅａｓＲｅｓｕｌｔＥＵＴＲＡ）が含まれる。
【０１５７】
ここで、測定識別子（ｍｅａｓＩｄ）とは、前述のように、測定対象識別子（ｍｅａｓＯｂｊｅｃｔＩｄ）と報告設定識別子（ｒｅｐｏｒｔＣｏｎｆｉｇＩｄ）とのリンクに利用されていた識別子である。また、サービングセル測定結果（ｍｅａｓＲｅｓｕｌｔＳｅｒｖｉｎｇ）は、サービングセルに対する測定結果であり、サービングセルに対する参照信号受信電力（ＲＳＲＰ）および参照信号受信品質（ＲＳＲＱ）の両方の結果を報告する。サービングセルに対する測定結果は、測定結果には必ず含まれる。また、物理セル識別子（ｐｈｙｓｉｃａｌＣｅｌｌＩｄｅｎｔｉｔｙ）は、セルを識別するために利用する。ＥＵＴＲＡセル測定結果（ｍｅａｓＲｅｓｕｌｔＥＵＴＲＡ）は、ＥＵＴＲＡセルに対する測定結果である。隣接セルの測定結果は関連するイベントの発生時にのみ含まれる。
【０１５８】
ＮＲの測定（ｍｅａｓｕｒｅｍｅｎｔ）は、ＬＴＥと同等の測定設定および測定報告の仕組みが用いられてもよい。例えば、ＮＲの測定設定（Ｍｅａｓｕｒｅｍｅｎｔ  ｃｏｎ
ｆｉｇｕｒａｔｉｏｎ）メッセージに、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）などが含まれてよい。
【０１５９】
また、測定対象ＮＲ（ｍｅａｓＯｂｊｅｃｔＮＲ）には、ＮＲ搬送波周波数情報（ｅｕｔｒａ−ＣａｒｒｉｅｒＩｎｆｏ）、測定帯域幅（ｍｅａｓｕｒｅｍｅｎｔＢａｎｄｗｉｄｔｈ）、オフセット周波数（ｏｆｆｓｅｔＦｒｅｑ）、隣接セルリスト（ｎｅｉｇｈｂｏｕｒ  ｃｅｌｌ  ｌｉｓｔ）に関する情報、ブラックリスト（ｂｌａｃｋ  ｌｉｓｔ）に関する情報の一部あるいは全部が含まれてよい。
【０１６０】
また、報告設定ＮＲ（ｒｅｐｏｒｔＣｏｎｆｉｇＮＲ）にはイベントトリガ報告に関する情報が含まれてよい。イベントトリガ条件としては、ＬＴＥのイベントＡ１からＡ６と同等のイベントが少なくとも含まれてよい。
【０１６１】
また、参照信号受信電力（ＲＳＲＰ）は、測定に同期信号が用いられる場合には、同期信号受信電力（ＳＳＲＰ）に置き換えられてもよい。同様に、参照信号受信品質（ＲＳＲＱ）は、測定に同期信号が用いられる場合には、同期信号受信品質（ＳＳＲＱ）に置き換えられてもよい。
【０１６２】
以下にＮＲの測定（ｍｅａｓｕｒｅｍｅｎｔ）の一例を示す。なお、メッセージに含まれる情報および／またはメッセージの構造は一例であり、これに限定されるものではない。
【０１６３】
基地局装置３は、端末装置２に対して、ＲＲＣシグナリング（無線リソース制御信号）のＲＲＣ接続再設定（ＲＲＣＣｏｎｎｅｃｔｉｏｎＲｅｃｏｎｆｉｇｕｒａｔｉｏｎ）メッセージを使って、測定設定（Ｍｅａｓｕｒｅｍｅｎｔ  ｃｏｎｆｉｇｕｒａｔｉｏｎ）メッセージを送信する。端末装置２は、測定設定（Ｍｅａｓｕｒｅｍｅｎｔ  ｃｏｎｆｉｇｕｒａｔｉｏｎ）メッセージに含まれるシステム情報を設定するとともに、通知されたシステム情報に従って、サービングセルおよび隣接セル（リストセル（ｌｉｓｔｅｄ  ｃｅｌｌ）および／または検出セル（ｄｅｔｅｃｔｅｄ  ｃｅｌｌ）を含む）に対する測定、イベント評価、測定報告を行う。リストセルは、測定対象（Ｍｅａｓｕｒｅｍｅｎｔ  ｏｂｊｅｃｔ）にリストされているセル（基地局装置３から端末装置２へ隣接セルリストとして通知されているセル）であり、検出セルは、測定対象（Ｍｅａｓｕｒｅｍｅｎｔ  ｏｂｊｅｃｔ）によって指示された周波数において端末装置２が検出したが、測定対象（Ｍｅａｓｕｒｅｍｅｎｔ  ｏｂｊｅｃｔ）にはリストされていないセル（隣接セルリストとして通知されていない端末装置２自身が検出したセル）である。
【０１６４】
測定（ｍｅａｓｕｒｅｍｅｎｔ）には、３つのタイプ（周波数内測定（ｉｎｔｒａ−ｆｒｅｑｕｅｎｃｙ  ｍｅａｓｕｒｅｍｅｎｔｓ）、周波数間測定（ｉｎｔｅｒ−ｆｒｅｑｕｅｎｃｙ  ｍｅａｓｕｒｅｍｅｎｔｓ）、無線アクセス技術間測定（ｉｎｔｅｒ−ＲＡＴ  ｍｅａｓｕｒｅｍｅｎｔｓ））がある。周波数内測定（ｉｎｔｒａ−ｆｒｅｑｕｅｎｃｙ  ｍｅａｓｕｒｅｍｅｎｔｓ）は、サービングセルの下りリンク周波数（下りリンク周波数）での測定である。周波数間測定（ｉｎｔｅｒ−ｆｒｅｑｕｅｎｃｙ  ｍｅａｓｕｒｅｍｅｎｔｓ）は、サービングセルの下りリンク周波数とは異なる周波数での測定である。無線アクセス技術間測定（ｉｎｔｅｒ−ＲＡＴ  ｍｅａｓｕｒｅｍｅｎｔｓ）は、サービングセルの無線技術（例えばＮＲ）とは異なる無線技術（例えばＥＵＴＲＡ、ＵＴＲＡ、ＧＥＲＡＮ，ＣＤＭＡ２０００など）での測定である。
【０１６５】
測定設定（Ｍｅａｓｕｒｅｍｅｎｔ  ｃｏｎｆｉｇｕｒａｔｉｏｎ）メッセージには、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）などが含まれる。
【０１６６】
＜数量設定（ｑｕａｎｔｉｔｙＣｏｎｆｉｇ）＞
数量設定（ｑｕａｎｔｉｔｙＣｏｎｆｉｇ）は、測定対象（Ｍｅａｓｕｒｅｍｅｎｔ  ｏｂｊｅｃｔｓ）がＮＲまたはＥＵＴＲＡの場合、第３層フィルタ係数（Ｌ３  ｆｉｌｔｅｒｉｎｇ  ｃｏｅｆｆｉｃｉｅｎｔ）を指定してもよい。第３層フィルタ係数（Ｌ３  ｆｉｌｔｅｒｉｎｇ  ｃｏｅｆｆｉｃｉｅｎｔ）は、最新の測定結果と、過去のフィルタリング測定結果との比（割合）を規定する。フィルタリング結果は、端末装置２でイベント評価に利用される。
【０１６７】
＜測定ギャップ設定（ｍｅａｓＧａｐＣｏｎｆｉｇ）＞
測定ギャップ設定（ｍｅａｓＧａｐＣｏｎｆｉｇ）は、測定ギャップパターン（ｍｅａｓｕｒｅｍｅｎｔ  ｇａｐ  ｐａｔｔｅｒｎ）の設定や、測定ギャップ（ｍｅａｓｕｒｅｍｅｎｔ  ｇａｐ）の活性化（ａｃｔｉｖａｔｉｏｎ）／非活性化（ｄｅａｃｔｉｖａｔｉｏｎ）を制御するために利用される。測定ギャップ設定（ｍｅａｓＧａｐＣｏｎｆｉｇ）では、測定ギャップを活性化させる場合の情報として、ギャップパターン（ｇａｐ  ｐａｔｔｅｒｎ）、開始システムフレ−ム番号（ｓｔａｒｔＳＦＮ）、開始サブフレ−ム番号（ｓｔａｒｔＳｕｂｆｒａｍｅＮｕｍｂｅｒ）が通知される。ギャップパターン（ｇａｐ  ｐａｔｔｅｒｎ）は、測定ギャップ（ｍｅａｓｕｒｅｍｅｎｔ  ｇａｐ）として、どのパターンを使うかを規定する。開始システムフレ−ム番号（ｓｔａｒｔＳＦＮ）は、測定ギャップ（ｍｅａｓｕｒｅｍｅｎｔ  ｇａｐ）を開始するＳＦＮ（Ｓｙｓｔｅｍ  Ｆｒａｍｅ  Ｎｕｍｂｅｒ）を規定する。開始サブフレ−ム番号（ｓｔａｒｔＳｕｂｆｒａｍｅＮｕｍｂｅｒ）は、測定ギャップ（ｍｅａｓｕｒｅｍｅｎｔ  ｇａｐ）を開始するサブフレ−ム番号を規定する。また、測定ギャップ設定はセル毎、セルグループ毎、コンポーネントキャリア毎、サービングセル毎、あるいは既定の周波数範囲毎に独立して設定されてもよい。
【０１６８】
＜サービングセル品質閾値（ｓ−Ｍｅａｓｕｒｅ）＞
サービングセル品質閾値（ｓ−Ｍｅａｓｕｒｅ）は、サービングセルの品質に関する閾値を表し、端末装置２が測定（ｍｅａｓｕｒｅｍｅｎｔ）を行う必要があるか否かを制御するために利用される。サービングセル品質閾値（ｓ−Ｍｅａｓｕｒｅ）は、参照信号受信電力（ＲＳＲＰ）または同期信号受信電力（ＳＳＲＰ）に対する値として設定される。
【０１６９】
＜測定識別子（ｍｅａｓＩｄ）＞
ここで、測定識別子（ｍｅａｓＩｄ）は、測定対象（Ｍｅａｓｕｒｅｍｅｎｔ  ｏｂｊｅｃｔｓ）と、報告設定（Ｒｅｐｏｒｔｉｎｇ  ｃｏｎｆｉｇｕｒａｔｉｏｎｓ）とをリンクさせるために利用され、具体的には、測定対象識別子（ｍｅａｓＯｂｊｅｃｔＩｄ）と報告設定識別子（ｒｅｐｏｒｔＣｏｎｆｉｇＩｄ）とをリンクさせる。測定識別子（ｍｅａｓＩｄ）には、一つの測定対象識別子（ｍｅａｓＯｂｊｅｃｔＩｄ）と一つの報告設定識別子（ｒｅｐｏｒｔＣｏｎｆｉｇＩｄ）が対応付けられる。測定設定（Ｍｅａｓｕｒｅｍｅｎｔ  ｃｏｎｆｉｇｕｒａｔｉｏｎ）メッセージは、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の関係に対して追加・修正・削除することが可能である。
【０１７０】
ｍｅａｓＯｂｊｅｃｔＴｏＲｅｍｏｖｅＬｉｓｔは、指定された測定対象識別子（ｍｅａｓＯｂｊｅｃｔＩｄ）および指定された測定対象識別子（ｍｅａｓＯｂｊｅｃｔＩｄ）に対応する測定対象（Ｍｅａｓｕｒｅｍｅｎｔ  ｏｂｊｅｃｔｓ）を削除するコマンドである。この際、指定された測定対象識別子（ｍｅａｓＯｂｊｅｃｔＩｄ）に対応付けられたすべての測定識別子（ｍｅａｓＩｄ）は、削除される。このコマンドは、同時に複数の測定対象識別子（ｍｅａｓＯｂｊｅｃｔＩｄ）の指定が可能である。
【０１７１】
ｍｅａｓＯｂｊｅｃｔＴｏＡｄｄＭｏｄｉｆｙＬｉｓｔは、指定された測定対象識別子（ｍｅａｓＯｂｊｅｃｔＩｄ）を指定された測定対象（Ｍｅａｓｕｒｅｍｅｎｔ  ｏｂｊｅｃｔｓ）に修正、または、指定された測定対象識別子（ｍｅａｓＯｂｊｅｃｔＩｄ）と指定された測定対象（Ｍｅａｓｕｒｅｍｅｎｔ  ｏｂｊｅｃｔｓ）を追加するコマンドである。このコマンドは、同時に複数の測定対象識別子（ｍｅａｓＯｂｊｅｃｔＩｄ）の指定が可能である。
【０１７２】
ｒｅｐｏｒｔＣｏｎｆｉｇＴｏＲｅｍｏｖｅＬｉｓｔは、指定された報告設定識別子（ｒｅｐｏｒｔＣｏｎｆｉｇＩｄ）および指定された報告設定識別子（ｒｅｐｏｒｔＣｏｎｆｉｇＩｄ）に対応する報告設定（Ｒｅｐｏｒｔｉｎｇ  ｃｏｎｆｉｇｕｒａｔｉｏｎｓ）を削除するコマンドである。この際、指定された報告設定識別子（ｒｅｐｏｒｔＣｏｎｆｉｇＩｄ）に対応付けられたすべての測定識別子（ｍｅａｓＩｄ）は、削除される。このコマンドは、同時に複数の報告設定識別子（ｒｅｐｏｒｔＣｏｎｆｉｇＩｄ）の指定が可能である。
【０１７３】
ｒｅｐｏｒｔＣｏｎｆｉｇＴｏＡｄｄＭｏｄｉｆｙＬｉｓｔは、指定された報告設定識別子（ｒｅｐｏｒｔＣｏｎｆｉｇＩｄ）を指定された報告設定（Ｒｅｐｏｒｔｉｎｇ  ｃｏｎｆｉｇｕｒａｔｉｏｎｓ）に修正、または、指定された報告設定識別子（ｒｅｐｏｒｔＣｏｎｆｉｇＩｄ）と指定された報告設定（Ｒｅｐｏｒｔｉｎｇ  ｃｏｎｆｉｇｕｒａｔｉｏｎｓ）を追加するコマンドである。このコマンドは、同時に複数の報告設定識別子（ｒｅｐｏｒｔＣｏｎｆｉｇＩｄ）の指定が可能である。
【０１７４】
ｍｅａｓＩｄＴｏＲｅｍｏｖｅＬｉｓｔは、指定された測定識別子（ｍｅａｓＩｄ）を削除するコマンドである。この際、指定された測定識別子（ｍｅａｓＩｄ）に対応付けられた測定対象識別子（ｍｅａｓＯｂｊｅｃｔＩｄ）と報告設定識別子（ｒｅｐｏｒｔＣｏｎｆｉｇＩｄ）は、削除されずに維持される。このコマンドは、同時に複数の測定識別子（ｍｅａｓＩｄ）の指定が可能である。
【０１７５】
ｍｅａｓＩｄＴｏＡｄｄＭｏｄｉｆｙＬｉｓｔは、指定された測定識別子（ｍｅａｓＩｄ）を指定された測定対象識別子（ｍｅａｓＯｂｊｅｃｔＩｄ）と指定された報告設定識別子（ｒｅｐｏｒｔＣｏｎｆｉｇＩｄ）に対応付けるように修正、または、指定された測定対象識別子（ｍｅａｓＯｂｊｅｃｔＩｄ）と指定された報告設定識別子（ｒｅｐｏｒｔＣｏｎｆｉｇＩｄ）を指定された測定識別子（ｍｅａｓＩｄ）に対応付けし、指定された測定識別子（ｍｅａｓＩｄ）を追加するコマンドである。このコマンドは、同時に複数の測定識別子（ｍｅａｓＩｄ）の指定が可能である。
【０１７６】
＜測定対象（Ｍｅａｓｕｒｅｍｅｎｔ  ｏｂｊｅｃｔｓ）＞
測定対象（Ｍｅａｓｕｒｅｍｅｎｔ  ｏｂｊｅｃｔｓ）は、ＲＡＴおよび周波数ごとに規定されている。また、報告設定（Ｒｅｐｏｒｔｉｎｇ  ｃｏｎｆｉｇｕｒａｔｉｏｎｓ）は、ＮＲに対する規定と、ＮＲ以外のＲＡＴに対する規定がある。
【０１７７】
測定対象（Ｍｅａｓｕｒｅｍｅｎｔ  ｏｂｊｅｃｔｓ）には、測定対象識別子（ｍｅａｓＯｂｊｅｃｔＩｄ）と対応付けられた測定対象ＮＲ（ｍｅａｓＯｂｊｅｃｔＮＲ）、測
定対象ＥＵＴＲＡ（ｍｅａｓＯｂｊｅｃｔＥＵＴＲＡ）、測定対象ＵＴＲＡ（ｍｅａｓＯｂｊｅｃｔＵＴＲＡ）、測定対象ＧＥＲＡＮ（ｍｅａｓＯｂｊｅｃｔＧＥＲＡＮ）、測定対象ＣＤＭＡ２０００（ｍｅａｓＯｂｊｅｃｔＣＤＭＡ２０００）、測定対象ＷＬＡＮ（ｍｅａｓＯｂｊｅｃｔＷＬＡＮ）などが含まれる。
【０１７８】
測定対象識別子（ｍｅａｓＯｂｊｅｃｔＩｄ）は、測定対象（Ｍｅａｓｕｒｅｍｅｎｔ
ｏｂｊｅｃｔｓ）の設定を識別するために使用する識別子である。測定対象（Ｍｅａｓｕｒｅｍｅｎｔ  ｏｂｊｅｃｔｓ）の設定は、前述のように、無線アクセス技術（ＲＡＴ）および周波数ごとに規定されている。測定対象（Ｍｅａｓｕｒｅｍｅｎｔ  ｏｂｊｅｃｔｓ）は、ＮＲ、ＥＵＴＲＡ、ＵＴＲＡ、ＧＥＲＡＮ、ＣＤＭＡ２０００に対して別途仕様化されている。ＮＲに対する測定対象（Ｍｅａｓｕｒｅｍｅｎｔ  ｏｂｊｅｃｔｓ）である測定対象ＮＲ（ｍｅａｓＯｂｊｅｃｔＮＲ）は、ＮＲの隣接セルに対して適用される情報を規定する。また、測定対象ＮＲ（ｍｅａｓＯｂｊｅｃｔＮＲ）のなかで異なる周波数のものは異なる測定対象（Ｍｅａｓｕｒｅｍｅｎｔ  ｏｂｊｅｃｔｓ）として扱われ、別途測定対象識別子（ｍｅａｓＯｂｊｅｃｔＩｄ）が割り当てられる。
【０１７９】
測定対象ＮＲ（ｍｅａｓＯｂｊｅｃｔＮＲ）には、ＮＲ搬送波周波数情報（ｎｒ−ＣａｒｒｉｅｒＩｎｆｏ）、測定帯域幅（ｍｅａｓｕｒｅｍｅｎｔＢａｎｄｗｉｄｔｈ）、オフセット周波数（ｏｆｆｓｅｔＦｒｅｑ）、隣接セルリスト（ｎｅｉｇｈｂｏｕｒ  ｃｅｌｌ  ｌｉｓｔ）に関する情報、ブラックリスト（ｂｌａｃｋ  ｌｉｓｔ）に関する情報の一部あるいは全部が含まれてよい。
【０１８０】
次に、測定対象ＮＲ（ｍｅａｓＯｂｊｅｃｔＮＲ）に含まれる情報ついて説明する。ＮＲ搬送波周波数情報（ｎｒ−ＣａｒｒｉｅｒＩｎｆｏ）は、測定対象とする搬送波周波数を指定する。測定帯域幅（ｍｅａｓｕｒｅｍｅｎｔＢａｎｄｗｉｄｔｈ）は、測定対象とする搬送波周波数で動作する全ての隣接セル共通な測定帯域幅を示す。オフセット周波数（ｏｆｆｓｅｔＦｒｅｑ）は、測定対象とする周波数において適用される測定オフセット値を示す。
【０１８１】
隣接セルリスト（ｎｅｉｇｈｂｏｕｒ  ｃｅｌｌ  ｌｉｓｔ）に関する情報は、イベント評価や、測定報告の対象となる隣接セルに関する情報を含む。隣接セルリスト（ｎｅｉｇｈｂｏｕｒ  ｃｅｌｌ  ｌｉｓｔ）に関する情報としては、物理セル識別子（ｐｈｙｓｉｃａｌ  ｃｅｌｌ  ＩＤ）や、セル固有オフセット（ｃｅｌｌＩｎｄｉｖｉｄｕａｌＯｆｆｓｅｔ、隣接セルに対して適用する測定オフセット値を示す）などが含まれている。この情報は、ＮＲの場合、端末装置２が、既に、報知情報（報知されるシステム情報）から既に取得している隣接セルリスト（ｎｅｉｇｈｂｏｕｒ  ｃｅｌｌ  ｌｉｓｔ）に対して、追加・修正または削除を行うための情報として利用されてよい。
【０１８２】
また、ブラックリスト（ｂｌａｃｋ  ｌｉｓｔ）に関する情報は、イベント評価や、測定報告の対象とならない隣接セルに関する情報を含む。ブラックリスト（ｂｌａｃｋ  ｌｉｓｔ）に関する情報としては、物理セル識別子（ｐｈｙｓｉｃａｌ  ｃｅｌｌ  ＩＤ）などが含まれる。この情報は、ＮＲの場合、端末装置２が、既に、報知情報から取得しているブラックセルリスト（ｂｌａｃｋ  ｌｉｓｔｅｄ  ｃｅｌｌ  ｌｉｓｔ）に対して、追加・修正または削除を行うための情報として利用されてよい。
【０１８３】
＜報告設定（Ｒｅｐｏｒｔｉｎｇ  ｃｏｎｆｉｇｕｒａｔｉｏｎｓ）＞
報告設定（Ｒｅｐｏｒｔｉｎｇ  ｃｏｎｆｉｇｕｒａｔｉｏｎｓ）には、報告設定識別子（ｒｅｐｏｒｔＣｏｎｆｉｇＩｄ）と対応付けられた報告設定ＮＲ（ｒｅｐｏｒｔＣｏｎｆｉｇＮＲ）などが含まれる。
【０１８４】
報告設定識別子（ｒｅｐｏｒｔＣｏｎｆｉｇＩｄ）は、測定に関する報告設定（Ｒｅｐｏｒｔｉｎｇ  ｃｏｎｆｉｇｕｒａｔｉｏｎｓ）を識別するために使用する識別子である。測定に関する報告設定（Ｒｅｐｏｒｔｉｎｇ  ｃｏｎｆｉｇｕｒａｔｉｏｎｓ）は、前述のように、ＮＲに対する規定と、ＮＲ以外のＲＡＴ（ＥＵＴＲＡ、ＵＴＲＡ、ＧＥＲＡＮ、ＣＤＭＡ２０００）に対する規定がある。ＮＲに対する報告設定（Ｒｅｐｏｒｔｉｎｇ  ｃｏｎｆｉｇｕｒａｔｉｏｎｓ）である報告設定ＮＲ（ｒｅｐｏｒｔＣｏｎｆｉｇＮＲ）は、ＮＲにおける測定の報告に利用するイベントのトリガ条件（ｔｒｉｇｇｅｒｉｎｇ  ｃｒｉｔｅｒｉａ）を規定する。
【０１８５】
また、報告設定ＮＲ（ｒｅｐｏｒｔＣｏｎｆｉｇＮＲ）には、イベント識別子（ｅｖｅｎｔＩｄ）、トリガ量（ｔｒｉｇｇｅｒＱｕａｎｔｉｔｙ）、ヒステリシス（ｈｙｓｔｅｒｅｓｉｓ）、トリガ時間（ｔｉｍｅＴｏＴｒｉｇｇｅｒ）、報告量（ｒｅｐｏｒｔＱｕａｎｔｉｔｙ）、最大報告セル数（ｍａｘＲｅｐｏｒｔＣｅｌｌｓ）、報告間隔（ｒｅｐｏｒｔＩｎｔｅｒｖａｌ）、報告回数（ｒｅｐｏｒｔＡｍｏｕｎｔ）の一部あるいは全部が含まれてよい。
【０１８６】
次に、報告設定ＮＲ（ｒｅｐｏｒｔＣｏｎｆｉｇＮＲ）について説明する。イベント識別子（ｅｖｅｎｔＩｄ）は、イベントトリガ報告（ｅｖｅｎｔ  ｔｒｉｇｇｅｒｅｄ  ｒｅｐｏｒｔｉｎｇ）に関する条件（ｃｒｉｔｅｒｉａ）を選択するために利用される。ここで、イベントトリガ報告（ｅｖｅｎｔ  ｔｒｉｇｇｅｒｅｄ  ｒｅｐｏｒｔｉｎｇ）とは、イベントトリガ条件を満たした場合に、測定を報告する方法である。この他に、イベントトリガ条件を満たした場合に、一定間隔で、ある回数だけ測定を報告するというイベントトリガ定期報告（ｅｖｅｎｔ  ｔｒｉｇｇｅｒｅｄ  ｐｅｒｉｏｄｉｃ  ｒｅｐｏｒｔｉｎｇ）もある。
【０１８７】
イベントトリガ条件としては、後述の６種類が少なくとも規定されてよい。イベント識別子（ｅｖｅｎｔＩｄ）によって指定されたイベントトリガ条件を満たした場合、端末装置２は、基地局装置３に対して、測定報告（ｍｅａｓｕｒｅｍｅｎｔ  ｒｅｐｏｒｔ）を行う。トリガ量（ｔｒｉｇｇｅｒＱｕａｎｔｉｔｙ）は、イベントトリガ条件を評価するために利用する量である。すなわち、同期信号受信電力（ＳＳＲＰ）、または、同期信号受信品質（ＳＳＲＱ）が指定される。すなわち、端末装置２は、このトリガ量（ｔｒｉｇｇｅｒＱｕａｎｔｉｔｙ）によって指定された量を利用して、下りリンクの同期信号の測定を行い、イベント識別子（ｅｖｅｎｔＩｄ）で指定されたイベントトリガ条件を満たしているか否かを判定する。ヒステリシス（ｈｙｓｔｅｒｅｓｉｓ）は、イベントトリガ条件で利用されるパラメータである。トリガ時間（ｔｉｍｅＴｏＴｒｉｇｇｅｒ）は、イベントトリガ条件を満たすべき期間を示す。報告量（ｒｅｐｏｒｔＱｕａｎｔｉｔｙ）は、測定報告（ｍｅａｓｕｒｅｍｅｎｔ  ｒｅｐｏｒｔ）において報告する量を示す。ここでは、トリガ量（ｔｒｉｇｇｅｒＱｕａｎｔｉｔｙ）で指定した量、または、同期信号受信電力（ＳＳＲＰ）または同期信号受信品質（ＳＳＲＱ）が指定される。ここで、同期信号受信品質（ＳＳＲＱ）は、（Ｎ＊ＳＳＲＰ）／（ＮＲ  Ｃａｒｒｉｅｒ  ＲＳＳＩ）で表される比である。受信信号強度（ＮＲ  Ｃａｒｒｉｅｒ  ＲＳＳＩ）は、全受信信号電力の強さを示し、測定帯域幅はシステム帯域幅と同じである。Ｎは受信信号強度（ＮＲ  Ｃａｒｒｉｅｒ  ＲＳＳＩ）の測定帯域幅に関するリソースブロック（ＲＢ：Ｒｅｓｏｕｒｃｅ  Ｂｌｏｃｋ）数である。最大報告セル数（ｍａｘＲｅｐｏｒｔＣｅｌｌｓ）は、測定報告（ｍｅａｓｕｒｅｍｅｎｔ  ｒｅｐｏｒｔ）に含めるセルの最大数を示す。報告間隔（ｒｅｐｏｒｔＩｎｔｅｒｖａｌ）は、定期報告（ｐｅｒｉｏｄｉｃａｌ  ｒｅｐｏｒｔｉｎｇ）またはイベントトリガ定期報告（ｅｖｅｎｔ  ｔｒｉｇｇｅｒｅｄ  ｐｅｒｉｏｄｉｃ  ｒｅｐｏｒｔｉｎｇ）に対して利用され、報告間隔（ｒｅｐｏｒｔＩｎｔｅｒｖａｌ）で示される間隔ごとに定期報告する。報告回数（ｒｅｐｏｒｔＡｍｏｕｎｔ）は、必要に応じて、定期報告（ｐｅｒｉｏｄｉｃａｌ  ｒｅｐｏｒｔｉｎｇ）を行う回数を
規定する。
【０１８８】
尚、後述のイベントトリガ条件で利用する閾値パラメータやオフセットパラメータ（ａ１＿Ｔｈｒｅｓｈｏｌｄ、ａ２＿Ｔｈｒｅｓｈｏｌｄ、ａ３＿Ｏｆｆｓｅｔ、ａ４＿Ｔｈｒｅｓｈｏｌｄ、ａ5＿Ｔｈｒｅｓｈｏｌｄ１、ａ５＿Ｔｈｒｅｓｈｏｌｄ２、ａ６＿Ｏ
ｆｆｓｅｔ）は、報告設定ＮＲ（ｒｅｐｏｒｔＣｏｎｆｉｇＮＲ）において、イベント識別子（ｅｖｅｎｔＩｄ）と一緒に、端末装置２へ通知される。
【０１８９】
＜イベントトリガ条件について＞
測定報告（ｍｅａｓｕｒｅｍｅｎｔ  ｒｅｐｏｒｔ）をするためのイベントトリガ条件が複数定義されており、それぞれ加入条件と離脱条件がある。すなわち、基地局装置３から指定されたイベントに対する加入条件を満たした端末装置２は、基地局装置３に対して測定報告（ｍｅａｓｕｒｅｍｅｎｔ  ｒｅｐｏｒｔ）を送信する。また、基地局装置３から指定されたイベントに対する離脱条件を満たした端末装置２は、基地局装置３から離脱条件を満たす場合に報告をトリガするように設定されていた場合（報告設定にｒｅｐｏｒｔＯｎＬｅａｖｅが含まれる場合）に、基地局装置３に対して測定報告（ｍｅａｓｕｒｅｍｅｎｔ  ｒｅｐｏｒｔ）を送信する。以下が、各イベントに対する加入条件と離脱条件である。
【０１９０】
＜イベント（Ｅｖｅｎｔ）Ａ１＞
イベント（Ｅｖｅｎｔ）Ａ１加入条件：Ｍｓ−Ｈｙｓ＞ａ１＿Ｔｈｒｅｓｈｏｌｄ
イベント（Ｅｖｅｎｔ）Ａ１離脱条件：Ｍｓ＋Ｈｙｓ＜ａ１＿Ｔｈｒｅｓｈｏｌｄ
＜イベント（Ｅｖｅｎｔ）Ａ２＞
イベント（Ｅｖｅｎｔ）Ａ２加入条件：Ｍｓ−Ｈｙｓ＜ａ２＿Ｔｈｒｅｓｈｏｌｄ
イベント（Ｅｖｅｎｔ）Ａ２離脱条件：Ｍｓ＋Ｈｙｓ＞ａ２＿Ｔｈｒｅｓｈｏｌｄ
＜イベント（Ｅｖｅｎｔ）Ａ３＞
イベント（Ｅｖｅｎｔ）Ａ３加入条件：Ｍｎ＋Ｏｆｎ＋Ｏｃｎ−Ｈｙｓ＞Ｍｓ＋Ｏｆｓ＋Ｏｃｓ＋ａ３＿Ｏｆｆｓｅｔ
イベント（Ｅｖｅｎｔ）Ａ３離脱条件：Ｍｎ＋Ｏｆｎ＋Ｏｃｎ＋Ｈｙｓ＜Ｍｓ＋Ｏｆｓ＋Ｏｃｓ＋ａ３＿Ｏｆｆｓｅｔ
＜イベント（Ｅｖｅｎｔ）Ａ４＞
イベント（Ｅｖｅｎｔ）Ａ４加入条件：Ｍｎ＋Ｏｆｎ＋Ｏｃｎ−Ｈｙｓ＞ａ４＿Ｔｈｒｅｓｈｏｌｄ
イベント（Ｅｖｅｎｔ）Ａ４離脱条件：Ｍｎ＋Ｏｆｎ＋Ｏｃｎ＋Ｈｙｓ＜ａ４＿Ｔｈｒｅｓｈｏｌｄ
＜イベント（Ｅｖｅｎｔ）Ａ５＞
イベント（Ｅｖｅｎｔ）Ａ５加入条件：Ｍｓ−Ｈｙｓ＜ａ５＿Ｔｈｒｅｓｈｏｌｄ１，Ｍｎ＋Ｏｆｎ＋Ｏｃｎ-Ｈｙｓ＞ａ５＿Ｔｈｒｅｓｈｏｌｄ２
イベント（Ｅｖｅｎｔ）Ａ５離脱条件：Ｍｓ＋Ｈｙｓ＞ａ５＿Ｔｈｒｅｓｈｏｌｄ１，Ｍｎ＋Ｏｆｎ＋Ｏｃｎ＋Ｈｙｓ＜ａ５＿Ｔｈｒｅｓｈｏｌｄ２
＜イベント（Ｅｖｅｎｔ）Ａ６＞
イベント（Ｅｖｅｎｔ）Ａ６加入条件：Ｍｎ＋Ｏｃｎ−Ｈｙｓ＞Ｍｓ＋Ｏｃｓ＋ａ６＿Ｏｆｆｓｅｔ
イベント（Ｅｖｅｎｔ）Ａ６離脱条件：Ｍｎ＋Ｏｃｎ＋Ｈｙｓ＜Ｍｓ＋Ｏｃｓ＋ａ６＿Ｏｆｆｓｅｔ
【０１９１】
ここで、Ｍｓとは、サービングセルに対する測定結果である（セル特有の測定オフセット値を考慮しない）。Ｍｎとは、隣接セル（ｎｅｉｇｈｂｏｕｒ  ｃｅｌｌ）に対する測定結果である。Ｈｙｓとは、対象とするイベントに対するヒステリシスパラメータである。
【０１９２】
Ｏｆｎとは、隣接セルの周波数に対する周波数特有の測定オフセット値である。Ｏｆｎは、測定対象ＮＲ（ｍｅａｓＯｂｊｅｃｔＮＲ）のオフセット周波数（ｏｆｆｓｅｔＦｒｅｑ）に相当する。周波数内測定（ｉｎｔｒａ−ｆｒｅｑｕｅｎｃｙ  ｍｅａｓｕｒｅｍｅｎｔｓ）の場合、Ｏｆｎは、Ｏｆｓと同じである。周波数間測定（ｉｎｔｅｒ−ｆｒｅｑｕｅｎｃｙ  ｍｅａｓｕｒｅｍｅｎｔｓ）の場合、Ｏｆｎは、サービングセルとは異なる下りリンク周波数に対応する測定対象ＮＲ（ｍｅａｓＯｂｊｅｃｔＮＲ）に含まれるオフセット周波数（ｏｆｆｓｅｔＦｒｅｑ）である。
【０１９３】
Ｏｃｎとは、隣接セルに対するセル特有の測定オフセット値である。Ｏｃｎは、測定対象ＮＲ（ｍｅａｓＯｂｊｅｃｔＮＲ）のセル固有オフセット（ｃｅｌｌＩｎｄｉｖｉｄｕａｌＯｆｆｓｅｔ）に相当する。Ｏｃｎが設定されていない場合は、測定オフセット値を０とする。周波数内測定（ｉｎｔｒａ−ｆｒｅｑｕｅｎｃｙ  ｍｅａｓｕｒｅｍｅｎｔｓ）の場合、Ｏｃｎは、サービングセルと同じ下りリンク周波数の測定対象ＮＲ（ｍｅａｓＯｂｊｅｃｔＮＲ）に含まれるセル固有オフセット（ｃｅｌｌＩｎｄｉｖｉｄｕａｌＯｆｆｓｅｔ）である。周波数間測定（ｉｎｔｅｒ−ｆｒｅｑｕｅｎｃｙ  ｍｅａｓｕｒｅｍｅｎｔｓ）の場合、Ｏｃｎは、サービングセルとは異なる下りリンク周波数に対応する測定対象ＥＵＴＲＡ（ｍｅａｓＯｂｊｅｃｔＥＵＴＲＡ）に含まれるセル固有オフセット（ｃｅｌｌＩｎｄｉｖｉｄｕａｌＯｆｆｓｅｔ）である。
【０１９４】
Ｏｆｓとは、サービングセルの周波数に対する周波数特有のオフセット値である。Ｏｆｓは、測定対象ＮＲ（ｍｅａｓＯｂｊｅｃｔＮＲ）のオフセット周波数（ｏｆｆｓｅｔＦｒｅｑ）に相当する。
【０１９５】
Ｏｃｓとは、サービングセルに対するセル特有の測定オフセット値である。Ｏｃｓは、サービングセルの周波数の測定対象ＮＲ（ｍｅａｓＯｂｊｅｃｔＮＲ）のセル固有オフセット（ｃｅｌｌＩｎｄｉｖｉｄｕａｌＯｆｆｓｅｔ）に含まれる。
【０１９６】
ａ１＿Ｔｈｒｅｓｈｏｌｄとは、イベントＡ１に対して利用される閾値パラメータである。ａ２＿Ｔｈｒｅｓｈｏｌｄとは、イベントＡ２に対して利用される閾値パラメータである。ａ３＿Ｏｆｆｓｅｔとは、イベントＡ３に対して利用されるオフセットパラメータである。ａ４＿Ｔｈｒｅｓｈｏｌｄとは、イベントＡ４に対して利用される閾値パラメータである。ａ５＿Ｔｈｒｅｓｈｏｌｄ１とａ５＿Ｔｈｒｅｓｈｏｌｄ２とは、イベントＡ５に対して利用される閾値パラメータである。ａ６＿Ｏｆｆｓｅｔとは、イベントＡ６に対して利用されるオフセットパラメータである。
【０１９７】
端末装置２はサービングセルの測定結果Ｍｓ及び隣接セルの測定結果Ｍｎにより各イベントを発生する。サービングセルの測定結果Ｍｓが、各パラメータの適用後、閾値ａ１＿Ｔｈｒｅｓｈｏｌｄよりよい場合、イベントＡ１が発生し、閾値ａ２＿Ｔｈｒｅｓｈｏｌｄより悪い場合、イベントＡ２が発生する。隣接セルの測定結果Ｍｎが、各パラメータの適用後、サービングセル測定結果Ｍｓ及びオフセットａ３＿Ｏｆｆｓｅｔより良い場合、イベントＡ３が発生し、隣接セルの測定結果Ｍｎが、各パラメータの適用後、閾値ａ４＿Ｔｈｒｅｓｈｏｌｄより良い場合、イベントＡ４が発生する。サービングセルの測定結果Ｍｓが、各パラメータの適用後、閾値ａ５＿Ｔｈｒｅｓｈｏｌｄ１より悪い且つ隣接セルの測定結果Ｍｎが、各パラメータの適用後、閾値ａ５＿Ｔｈｒｅｓｈｏｌｄ２より良い場合、イベントＡ５が発生する。
【０１９８】
また、ＮＲ以外のＲＡＴに対する報告設定（Ｒｅｐｏｒｔｉｎｇ  ｃｏｎｆｉｇｕｒａｔｉｏｎｓ）である報告設定ＩｎｔｅｒＲＡＴ（ｒｅｐｏｒｔＣｏｎｆｉｇＩｎｔｅｒＲＡＴ）には、ＮＲ以外のＲＡＴにおける測定の報告に利用するイベントのトリガ条件（ｔ
ｒｉｇｇｅｒｉｎｇ  ｃｒｉｔｅｒｉａ）が定義されてよい。例えば、隣接セル（他のＲＡＴ）の測定結果が、各パラメータの適用後、ＲＡＴ毎に設定される閾値ｂ１＿Ｔｈｒｅｓｈｏｌｄより良い場合、イベントＢ１が発生されてよい。また、ＰＣｅｌｌの測定結果が、各パラメータの適用後、閾値ｂ２＿Ｔｈｒｅｓｈｏｌｄ１より悪い且つ隣接セル（他のＲＡＴ）の測定結果が、各パラメータの適用後、ＲＡＴ毎に設定される閾値ｂ２＿Ｔｈｒｅｓｈｏｌｄ２より良い場合、イベントＢ２が発生されてよい。
【０１９９】
尚、基地局装置３は、サービングセル品質閾値（ｓ−Ｍｅａｓｕｒｅ）を通知する場合と通知しない場合がある。基地局装置３によってサービングセル品質閾値（ｓ−Ｍｅａｓｕｒｅ）が端末装置２に設定され、さらにサービングセル（ｓｅｒｖｉｎｇ  ｃｅｌｌ）であるＰＣｅｌｌまたはＰＳＣｅｌｌのレイヤ３フィルタリング後の品質（ＲＳＲＰ値あるいはＳＳＲＰ値）がサービングセル品質閾値（ｓ−Ｍｅａｓｕｒｅ）よりも低いときに、測定対象によって指示された周波数およびＲＡＴの隣接セルの測定を行う。一方、基地局装置３によってサービングセル品質閾値（ｓ−Ｍｅａｓｕｒｅ）が端末装置２に設定されない場合、端末装置２は、サービングセルの品質（ＲＳＲＰ値あるいはＳＳＲＰ値）によらず、隣接セルの測定を行う。
【０２００】
＜Ｍｅａｓｕｒｅｍｅｎｔ  Ｒｅｓｕｌｔについて＞
イベントトリガ条件を満たした端末装置２は、基地局装置３に対して、測定報告（Ｍｅａｓｕｒｅｍｅｎｔ  ｒｅｐｏｒｔ）を送信する。測定報告（Ｍｅａｓｕｒｅｍｅｎｔ  ｒｅｐｏｒｔ）には、測定結果（Ｍｅａｓｕｒｅｍｅｎｔ  ｒｅｓｕｌｔ）が含まれる。
【０２０１】
この測定結果（Ｍｅａｓｕｒｅｍｅｎｔ  ｒｅｓｕｌｔ）は、測定識別子（ｍｅａｓＩｄ）、サービングセル測定結果（ｍｅａｓＲｅｓｕｌｔＳｅｒｖｉｎｇ）、ＮＲ測定結果リスト（ｍｅａｓＲｅｓｕｌｔＬｉｓｔＮＲ）で構成される。ここで、ＮＲ測定結果リスト（ｍｅａｓＲｅｓｕｌｔＬｉｓｔＮＲ）には、物理セル識別子（ｐｈｙｓｉｃａｌＣｅｌｌＩｄｅｎｔｉｔｙ）、ＮＲセル測定結果（ｍｅａｓＲｅｓｕｌｔＮＲ）が含まれてよい。
【０２０２】
ここで、測定識別子（ｍｅａｓＩｄ）とは、前述のように、測定対象識別子（ｍｅａｓＯｂｊｅｃｔＩｄ）と報告設定識別子（ｒｅｐｏｒｔＣｏｎｆｉｇＩｄ）とのリンクに利用されていた識別子である。また、サービングセル測定結果（ｍｅａｓＲｅｓｕｌｔＳｅｒｖｉｎｇ）は、サービングセルに対する測定結果であり、サービングセルに対する同期信号受信電力（ＳＳＲＰ）および同期信号受信品質（ＳＳＲＱ）の両方の結果を報告してもよい。また、物理セル識別子（ｐｈｙｓｉｃａｌＣｅｌｌＩｄｅｎｔｉｔｙ）は、セルを識別するために利用する。ＮＲセル測定結果（ｍｅａｓＲｅｓｕｌｔＮＲ）は、ＮＲセルに対する測定結果である。隣接セルの測定結果は関連するイベントの発生時にのみ含まれる。
【０２０３】
ＬＴＥのＲＲＣ接続再設定メッセージの一例を、図８を用いて説明する。
【０２０４】
図８に示すように、ＲＲＣ接続再設定メッセージは（８Ａ）ｒｒｃ−ＴｒａｎｓａｃｔｉｏｎＩｄｅｎｔｉｆｉｅｒ、（８Ｂ）ｍｅａｓＣｏｎｆｉｇ、（８Ｃ）ｍｏｂｉｌｉｔｙＣｏｎｔｒｏｌＩｎｆｏ、（８Ｄ）ｄｅｄｉｃａｔｅｄＩｎｆｏＮＡＳＬｉｓｔ、（８Ｅ）ｒａｄｉｏＲｅｓｏｕｒｃｅＣｏｎｆｉｇＤｅｄｉｃａｔｅｄ、（８Ｆ）ｓｅｃｕｒｉｔｙＣｏｎｆｉｇＨＯ、（８Ｇ）ｏｔｈｅｒＣｏｎｆｉｇ、（８Ｈ）ｆｕｌｌＣｏｎｆｉｇ、（８Ｉ）ｓＣｅｌｌＴｏＲｅｌｅａｓｅＬｉｓｔ、（８Ｊ）ｓＣｅｌｌＴｏＡｄｄＭｏｄＬｉｓｔ、（８Ｋ）ｓｙｓｔｅｍＩｎｆｏｍａｔｉｏｎＢｌｏｃｋＤｅｄｉｃａｔｅｄの一部あるいは全部を含んでよい。
【０２０５】
（８Ａ）ｒｒｃ−ＴｒａｎｓａｃｔｉｏｎＩｄｅｎｔｉｆｉｅｒは、ＲＲＣプロシージャ（トランザクション）の識別に用いられる要素であり、例えば０から３の整数を値として持つ。（８Ｂ）ｍｅａｓＣｏｎｆｉｇは、端末装置２によって実行される（Ｐｅｒｆｏｒｍｅｄ）測定を設定するための情報であり、測定のためのギャップ期間の設定を含んでよい。（８Ｄ）ｄｅｄｉｃａｔｅｄＩｎｆｏＮＡＳＬｉｓｔは、ネットワークと端末装置２との間でやり取りされる端末装置２固有のＮＡＳ層の情報のリストであり、ＤＲＢ毎のＮＡＳ層の情報を含み、ＲＲＣ層は透過的にこの情報を上位レイヤ（ＮＡＳ層）に転送する。（８Ｅ）ｒａｄｉｏＲｅｓｏｕｒｃｅＣｏｎｆｉｇＤｅｄｉｃａｔｅｄは、ＳＲＢやＤＲＢの設定、変更、および／または解放に使われる情報、ＭＡＣ層の設定を変更するための情報、物理層のチャネル設定に関する情報などが含まれてよい。（８Ｆ）ｓｅｃｕｒｉｔｙＣｏｎｆｉｇＨＯは、セキュリティに関する設定であり、例えば、ＳＲＢのＡＳ層における完全性保証（Ｉｎｔｅｇｒｉｔｙ  Ｐｒｏｔｅｃｔｉｏｎ）アルゴリズムの設定や、ＳＲＢおよび／またはＤＲＢの暗号（Ｃｉｐｈｅｒｉｎｇ）アルゴリズムの設定などを含んでよい。（８Ｈ）ｆｕｌｌＣｏｎｆｉｇは、このＲＲＣ接続再設定メッセージに特定のオプションが適用されるか否かを示す情報であり、端末装置２は、（８Ｈ）ｆｕｌｌＣｏｎｆｉｇがＲＲＣ接続再設定メッセージに含まれる場合に、特定の要素に含まれる設定を適用するようにしてよい。（８Ｉ）ｓＣｅｌｌＴｏＲｅｌｅａｓｅＬｉｓｔ、（８Ｊ）ｓＣｅｌｌＴｏＡｄｄＭｏｄＬｉｓｔは、セカンダリセルの追加、変更、および／または解放に使われる情報が含まれてよい。（８Ｋ）ｓｙｓｔｅｍＩｎｆｏｍａｔｉｏｎＢｌｏｃｋＤｅｄｉｃａｔｅｄは、ターゲットセルの報知情報の一部を含んでよい。
【０２０６】
（８Ｃ）ｍｏｂｉｌｉｔｙＣｏｎｔｒｏｌＩｎｆｏは、ネットワーク制御によるモビリティ（例えばハンドオ−バ）のために必要なパラメータを含む。（８Ｃ）ｍｏｂｉｌｉｔｙＣｏｎｔｒｏｌＩｎｆｏは、ｔａｒｇｅｔＰｈｙｓＣｅｌｌＩｄ、ｃａｒｒｉｅｒＦｒｅｑ、ｃａｒｒｉｅｒＢａｎｄｗｉｄｔｈ、ｔ３０４、ｎｅｗＵＥ−Ｉｄｅｎｔｉｔｙ、ｒａｄｉｏＲｅｓｏｕｒｃｅＣｏｎｆｉｇＣｏｍｍｏｎ、ｒａｃｈ−ＣｏｎｆｉｇＤｅｄｉｃａｔｅｄ、の一部あるいは全部を含んでよい。また、（８Ｃ）ｍｏｂｉｌｉｔｙＣｏｎｔｒｏｌＩｎｆｏは、その他の様々な情報を含んでもよい。
【０２０７】
ｔａｒｇｅｔＰｈｙｓＣｅｌｌＩｄは、ターゲットセルの識別子(例えば物理セル識別
子）を示す。ｃａｒｒｉｅｒＦｒｅｑは、端末装置２がターゲットセルで使う周波数の情報を示す。ｃａｒｒｉｅｒＢａｎｄｗｉｄｔｈは、ターゲットセルの下りリンクおよび／または上りリンクの帯域幅の情報を示す。ｔ３０４は、ハンドオ−バに関するタイマーの値を示し、例えば端末装置２は、タイマーで示される時間内にハンドオ−バが正常に完了しない場合に既定の処理を実行してもよい。ｎｅｗＵＥ−Ｉｄｅｎｔｉｔｙは、ターゲットセルにおける端末装置２の新しい識別子（例えばＣ−ＲＮＴＩ）を示す。
【０２０８】
ｒａｄｉｏＲｅｓｏｕｒｃｅＣｏｎｆｉｇＣｏｍｍｏｎは、ランダムアクセスパラメータや静的な物理層パラメータなどの共通無線リソース設定を特定する（Ｓｐｅｃｉｆｙ）ために使われる情報を含む。
【０２０９】
ｒａｃｈ−ＣｏｎｆｉｇＤｅｄｉｃａｔｅｄは、端末装置２に対して割り当てられる個別のランダムアクセスパラメータを特定するために使われる情報を含む。例えば、ランダムアクセスプリアンブルのフォーマットや時間／周波数リソースを明示的に示す情報、および／またはプリアンブルの送信に用いられるヌメロロジーの情報、の一部または全部を含んでよい。
【０２１０】
（８Ｇ）ｏｔｈｅｒＣｏｎｆｉｇは、その他の設定の一部あるいは全部が含まれる。
【０２１１】
なお、上記メッセージは一例であり、ＲＲＣ接続再設定メッセージは上記ＲＲＣ接続再
設定メッセージ以外の情報を含んでもよいし、上記ＲＲＣ接続再設定メッセージの一部の情報を含まなくてもよい。また、ＲＲＣ接続再設定メッセージは、上記ＲＲＣ接続再設定メッセージとは異なる構造、情報要素名、あるいはパラメータ名でもよい。
【０２１２】
次に、測定設定の一例について図９および図１０を使って説明する。なお、ＥＮ−ＤＣの場合は、ＬＴＥの基地局装置３とＮＲの基地局装置３が独立した測定設定を端末装置２に設定してもよい。ここではＬＴＥの基地局装置３から測定設定が端末装置２に設定される例を示す。
【０２１３】
図９において、基地局装置３は、測定対象を含む測定設定を端末装置２に設定する（ステップＳ９１）。
【０２１４】
ここで、ステップＳ９１で設定される測定設定の一例を図１０に示す。
【０２１５】
図１０において、端末装置２に対して、３つの測定対象が設定され、１つのｒｅｐｏｒｔＣｏｎｆｉｇＥＵＴＲＡと２つのｒｅｐｏｒｔＣｏｎｆｉｇＩｎｔｅｒＲＡＴが設定されている。この３つの報告設定とそれぞれ紐づけられた（Ａｓｓｏｃｉａｔｅｄ）測定対象の組み合わせに対して測定識別子が設定されている。
【０２１６】
上記測定設定が設定された端末装置２は、測定設定の情報に基づき測定を実行する（ステップＳ９２）。端末装置２は、報告設定の条件を満たす場合（ステップＳ９３）、測定結果を基地局装置３に通知する（ステップＳ９４）。
【０２１７】
ある実施形態について説明する。ＥＮ−ＤＣでは、セル間のモビリティ（ハンドオーバ）はＬＴＥのセル間で行われ、ＮＲのセルはＬＴＥのセルに追加で端末装置に設定されるかもしれない。すなわち、測定対象がＬＴＥである測定は、サービングセルの品質が低下したとき（セル端に近づいたとき）に実行されればよい場合があり、また測定対象がＮＲである測定は、サービングセルの品質に関わらず、セルの追加や変更のために実行されればよい場合がある。
【０２１８】
本実施形態において、測定設定は、測定の実行の際にサービングセル品質閾値を考慮するか否かを判断するための情報（第１の情報）を含む。
【０２１９】
例えば、第１の情報は、測定対象の設定に含まれるサービングセル品質閾値を考慮するか否かを示す情報であってもよい。第１の情報の一例として、測定対象にブーリアン型（Ｂｏｏｌｅａｎ  ｔｙｐｅ）の情報が含まれ、真であれば当該測定対象の測定にサービングセル品質閾値を考慮して、偽であれば当該測定対象の測定にサービングセル品質閾値を考慮しない（サービングセル品質閾値の設定に依らず測定を実行する）ようにしてもよい。あるいは第１の情報の真と偽は逆の意味であってもよい。
【０２２０】
また、第１の情報の別の一例として、列挙型（Ｅｎｕｍｅｒａｔｅｄ  ｔｙｐｅ）の情報が含まれ、情報が第１の値であれば当該測定対象の測定にサービングセル品質閾値を考慮して、情報が第２の値であれば当該測定対象の測定にサービングセル品質閾値を考慮しない（サービングセル品質閾値の設定に依らず測定を実行する）ようにしてもよい。あるいは第１の情報の第１の値と第２の値は逆の意味であってもよい。
【０２２１】
また、第１の情報の別の一例として、第１の情報が測定対象の設定に含まれるか否かによってサービングセル品質閾値を考慮するか否かが示されてもよい。第１の情報が含まれる場合、当該測定対象の測定にサービングセル品質閾値を考慮し、第１の情報が含まれない場合、当該測定対象の測定にサービングセル品質閾値を考慮しない（サービングセル品
質閾値の設定に依らず測定を実行する）ようにしてもよい。あるいは含まれるか否かが逆の意味であってもよい。
【０２２２】
また、第１の情報は、報告設定あるいは他の設定に含まれてもよい。第１の情報が報告設定に含まれる場合、報告設定に紐づけられた測定対象の測定の実行にこの第１の情報が用いられる。第１の情報が他の設定に含まれる場合であっても、この第１の情報が最終的に測定対象に紐づけられていればよい。
【０２２３】
また、この第１の情報は、特定の種類の測定対象にのみ含まれてもよい。例えば特定のＲＡＴ（例えばＮＲ）の測定対象にのみ含まれてもよい。この特定の種類の測定対象以外の測定対象については、第１の情報に基づいた測定実行の判断が行なわれないようにしてもよい。
【０２２４】
測定実行判断の一例を、図７を用いて説明する。
【０２２５】
図７において、端末装置２は、測定ギャップが設定されているか、あるいは測定対象の測定にギャップが必要でない場合に、ステップＳ７２に遷移する（ステップＳ７１）。
【０２２６】
ステップＳ７２おいて、端末装置２は、第１の条件を満たしているかどうかを判定する。端末装置２は、第１の条件を満たしている場合に、ステップＳ７３に遷移する。第１の条件を満たしていない場合は、本測定対象に関する測定が実行されない。
【０２２７】
ステップＳ７３おいて、端末装置２は、ＣＳＩ−ＲＳベースのディスカバリーシグナルの測定をサポートし、さらに、報告設定に紐づけられたイベントがＣ１イベントまたはＣ２イベントである、または報告設定で最も強いＣＳＩ−ＲＳを報告するように設定されている場合に、ステップＳ７４に遷移し、そうでない場合にステップＳ７５に遷移する。
【０２２８】
ステップＳ７４おいて、端末装置２は、ディスカバリーシグナルの測定設定に含まれるディスカバリーシグナルのタイミング設定を適用し、測定対象に含まれる周波数のＣＳＩ−ＲＳの測定を実行する。
【０２２９】
ステップＳ７５おいて、端末装置２は、測定対象で指示される周波数およびＲＡＴの隣接セルの測定を実行する。
【０２３０】
前記ステップＳ７２において、第１の条件を満たしているか判定する例を以下に説明する。
【０２３１】
第１の例では、端末装置２は、ｓ−Ｍｅａｓｕｒｅが設定されていない場合、またはｓ−Ｍｅａｓｕｒｅが設定されており、さらにサービングセル（ｓｅｒｖｉｎｇ  ｃｅｌｌ）であるＰＣｅｌｌのレイヤ３フィルタリング後の品質（ＲＳＲＰ値）がｓ−Ｍｅａｓｕｒｅよりも低い値である場合、またはｓ−Ｍｅａｓｕｒｅを考慮しないことを示す第１の情報（ｉｇｎｏｒｅＳｍｅａｓｕｒｅ）が真に設定されている場合、または測定対象に紐づけられたディスカバリーシグナルの測定設定が設定されている場合に、ステップＳ７３に遷移する。
【０２３２】
第２の例では、端末装置２は、ｓ−Ｍｅａｓｕｒｅが設定されていない場合、またはｓ−Ｍｅａｓｕｒｅが設定されており、さらにサービングセル（ｓｅｒｖｉｎｇ  ｃｅｌｌ）であるＰＣｅｌｌのレイヤ３フィルタリング後の品質（ＲＳＲＰ値）がｓ−Ｍｅａｓｕｒｅよりも低い値である場合、または測定対象がＮＲに関するものであり、かつｓ−Ｍｅａｓｕｒｅを考慮しないことを示す第１の情報（ｉｇｎｏｒｅＳｍｅａｓｕｒｅ）が真に
設定されている場合、または測定対象に紐づけられたディスカバリーシグナルの測定設定が設定されている場合に、ステップＳ７３に遷移する。
【０２３３】
基地局装置３は、第一の条件に関する情報を含むＲＲＣメッセージを端末装置２に送信する。基地局装置３は、端末装置２が、ＲＲＣメッセージを受け取ったことによって、ステップＳ７２において、第１の条件を満たしているかどうかを判定することを想定する。すなわち、基地局装置３は、ＲＲＣメッセージを送信することによって、端末装置２に対して、端末装置２の測定実行時に第１の条件を満たしているか否かに基づいた測定実行を処理させることになる。
【０２３４】
これにより、適切にｓ−Ｍｅａｓｕｒｅを設定することができる。
【０２３５】
別の実施形態について説明する。
【０２３６】
本実施形態において、測定設定は、複数のサービングセル品質閾値を含む。例えば、サービングセル品質閾値はＲＡＴ毎に設定されてもよい。また、例えば、複数のサービングセル品質閾値は、特定の１または複数のＲＡＴ（例えばＵＴＲＡ、ＬＴＥ，ＮＲ、および／またはＧＥＲＡＮなど）のそれぞれの測定に対応するサービングセル品質閾値と、それ以外のＲＡＴに対応するサービングセル品質閾値であってもよい。
【０２３７】
本実施例においては、上記ステップＳ７２おいて、端末装置２は、測定対象のＲＡＴに対応するｓ−Ｍｅａｓｕｒｅが設定されていない場合、または測定対象のＲＡＴに対応するｓ−Ｍｅａｓｕｒｅが設定されており、さらにサービングセル（ｓｅｒｖｉｎｇ  ｃｅｌｌ）であるＰＣｅｌｌのレイヤ３フィルタリング後の品質（ＲＳＲＰ値）がｓ−Ｍｅａｓｕｒｅよりも低い値である場合、または測定対象に紐づけられたディスカバリーシグナルの測定設定が設定されている場合に、ステップＳ７３に遷移する。
【０２３８】
これにより、ｓ−Ｍｅａｓｕｒｅの設定（例えば、ｓ−Ｍｅａｓｕｒｅを設定するか否か、および／またはｓ−Ｍｅａｓｕｒｅの値）を目的に応じて適切に行うことができる。
【０２３９】
別の実施形態について説明する。
【０２４０】
本実施形態において、報告設定に含まれるイベントは、サービングセル品質閾値を考慮するイベントとサービングセル品質閾値を考慮しないイベントとに区別される。端末装置２は、サービングセル品質閾値を考慮しないイベントに紐づけられた測定対象の測定を、サービングセル品質閾値の設定に依らず実行するようにしてもよい。例えば、サービングセル品質閾値を考慮しないイベントに紐づけられた測定対象の測定においては、端末装置２は、図７における前記第１の情報（ｉｇｎｏｒｅＳｍｅａｓｕｒｅ）が真となるものとして動作してもよい。
【０２４１】
これにより、イベントに応じて適切にｓ−Ｍｅａｓｕｒｅを設定することができる。
【０２４２】
別の実施形態について説明する。
【０２４３】
本実施形態において、端末装置２は、測定対象で指示される周波数に当該測定対象と同じＲＡＴのサービングセルが設定されているか否かの情報に基づいて、サービングセル品質閾値を考慮する測定を実行するか否かを判断する。例えば、端末装置２は、測定対象で指示される周波数に当該測定対象と同じＲＡＴのサービングセルが設定されている場合に、サービングセル品質閾値を考慮する測定を実行（Ｓ７３に遷移）し、測定対象で指示される周波数に当該測定対象と同じＲＡＴのサービングセルが設定されていない場合に、サ
ービングセル品質閾値を考慮する測定を実行しない（Ｓ７３に遷移しない）ようにしてもよい。
【０２４４】
これにより、サービングセルの設定状況に応じて適切にｓ−Ｍｅａｓｕｒｅを設定することができる。
【０２４５】
別の実施形態について説明する。
【０２４６】
本実施形態において、端末装置２は、ＮＲセルで構成されるＭＣＧを端末装置２がサポートしていなくて、関連付けられた測定対象がＮＲに関するものの場合、Ｓ７３に遷移する。これは、上記の例とも組み合わせられる。例えば、上記の第１の例と組み合わせた場合、次のようになる。端末装置２は、ｓ−Ｍｅａｓｕｒｅが設定されていない場合、またはｓ−Ｍｅａｓｕｒｅが設定されており、さらにサービングセル（ｓｅｒｖｉｎｇ  ｃｅｌｌ）であるＰＣｅｌｌのレイヤ３フィルタリング後の品質（ＲＳＲＰ値）がｓ−Ｍｅａｓｕｒｅよりも低い値である場合、ＮＲセルで構成されるＭＣＧを端末装置２がサポートしていなくて、かつ関連付けられた測定対象がＮＲに関するものである場合、またはｓ−Ｍｅａｓｕｒｅを考慮しないことを示す第１の情報（ｉｇｎｏｒｅＳｍｅａｓｕｒｅ）が真に設定されている場合、または測定対象に紐づけられたディスカバリーシグナルの測定設定が設定されている場合に、サービングセル品質閾値を考慮する測定を実行（Ｓ７３に遷移）し、それ以外の場合に、サービングセル品質閾値を考慮する測定を実行しない（Ｓ７３に遷移しない）ようにしてもよい。このように、本実施形態の条件および／または前述の各条件を組み合わせて第１の条件としてもよい。
【０２４７】
なお、前述の「ＮＲセルで構成されるＭＣＧを端末装置２がサポートしていない」という条件は、「ＮＲセルのPＣｅｌｌを端末装置２がサポートしていない」、または「ＮＲ
のスタンドアロンのオペレーション（例えばＥＮ−ＤＣではないＮＲ単独でのオペレーション）を端末装置２がサポートしていない」などであってもよい。また、一例として、前述の第１の情報は、「ＮＲセルで構成されるＭＣＧを端末装置２がサポートしていない」場合、「ＮＲセルのPＣｅｌｌを端末装置２がサポートしていない」場合、または「ＮＲ
のスタンドアロンのオペレーション（例えばＥＮ−ＤＣではないＮＲ単独でのオペレーション）を端末装置２がサポートしていない」場合においてのみＲＲＣメッセージの情報要素として含まれてよく、上記条件に当てはまらない場合には前述の第１の情報がＲＲＣメッセージの情報要素として含まれないようにしてもよい。
【０２４８】
これにより、サービングセルの設定状況に応じて適切にｓ−Ｍｅａｓｕｒｅを設定することができる。
【０２４９】
なお、前述の各実施形態において、端末装置２は、様々な条件に基づいて前記測定実行判断の処理自体を行うか否かを判断してもよい。上記「Ｓ７３に遷移する」を、「測定対象で指示される周波数およびＲＡＴの隣接セルの測定を実行する」と称してもよい。上記「Ｓ７３に遷移する」を、「測定対象に含まれる周波数のＣＳＩ−ＲＳの測定を実行する」と称してもよい。上記「Ｓ７３に遷移する」を、「測定対象で指示される周波数およびＲＡＴの隣接セルの測定および／または測定対象に含まれる周波数のＣＳＩ−ＲＳの測定を実行する」と称してもよい。
【０２５０】
本発明の実施形態における装置の構成について説明する。
【０２５１】
図２は、本実施形態の端末装置２の構成を示す概略ブロック図である。図示するように、端末装置２は、無線送受信部２０、および、上位層処理部２４を含んで構成される。無線送受信部２０は、アンテナ部２１、ＲＦ（Ｒａｄｉｏ  Ｆｒｅｑｕｅｎｃｙ）部２２、
および、ベースバンド部２３を含んで構成される。上位層処理部２４は、媒体アクセス制御層処理部２５、および、無線リソース制御層処理部２６を含んで構成される。無線送受信部２０を送信部、受信部、または、物理層処理部とも称する。また様々な条件に基づき各部の動作を制御する制御部を別途備えてもよい。
【０２５２】
上位層処理部２４は、ユ−ザの操作等により生成された上りリンクデ−タ（トランスポートブロック）を、無線送受信部２０に出力する。上位層処理部２４は、媒体アクセス制御（ＭＡＣ：Ｍｅｄｉｕｍ  Ａｃｃｅｓｓ  Ｃｏｎｔｒｏｌ）層、パケットデ−タ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の一部あるいはすべての処理を行なう。
【０２５３】
上位層処理部２４が備える媒体アクセス制御層処理部２５は、媒体アクセス制御層の処理を行う。媒体アクセス制御層処理部２５は、無線リソース制御層処理部２６によって管理されている各種設定情報／パラメータに基づいて、スケジュ−リングリクエストの伝送の制御を行う。
【０２５４】
上位層処理部２４が備える無線リソース制御層処理部２６は、無線リソース制御層の処理を行う。無線リソース制御層処理部２６は、自装置の各種設定情報／パラメータの管理をする。無線リソース制御層処理部２６は、基地局装置３から受信した上位層の信号に基づいて各種設定情報／パラメータをセットする。すなわち、無線リソース制御層処理部２６は、基地局装置３から受信した各種設定情報／パラメータを示す情報に基づいて各種設定情報／パラメータをセットする。
【０２５５】
無線送受信部２０は、変調、復調、符号化、復号化などの物理層の処理を行う。無線送受信部２０は、基地局装置３から受信した信号を、分離、復調、復号し、復号した情報を上位層処理部２４に出力する。無線送受信部２０は、デ−タを変調、符号化することによって送信信号を生成し、基地局装置３に送信する。
【０２５６】
ＲＦ部２２は、アンテナ部２１を介して受信した信号を、直交復調によりベースバンド信号に変換し（ダウンコンバ−ト:  ｄｏｗｎ  ｃｏｖｅｒｔ）、不要な周波数成分を除
去する。ＲＦ部２２は、処理をしたアナログ信号をベースバンド部に出力する。
【０２５７】
ベースバンド部２３は、ＲＦ部２２から入力されたアナログ信号を、アナログ信号をデジタル信号に変換する。ベースバンド部２３は、変換したデジタル信号からＣＰ（Cyclic
Prefix）に相当する部分を除去し、ＣＰを除去した信号に対して高速フ−リエ変換（Ｆａｓｔ  Ｆｏｕｒｉｅｒ  Ｔｒａｎｓｆｏｒｍ：ＦＦＴ）を行い、周波数領域の信号を抽出する。
【０２５８】
ベースバンド部２３は、デ−タを逆高速フ−リエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのデジタル信号を生成し、ベースバンドのデジタル信号をアナログ信号に変換する。ベースバンド部２３は、変換したアナログ信号をＲＦ部２２に出力する。
【０２５９】
ＲＦ部２２は、ロ−パスフィルタを用いてベースバンド部２３から入力されたアナログ信号から余分な周波数成分を除去し、アナログ信号を搬送波周波数にアップコンバ−ト（ｕｐ  ｃｏｎｖｅｒｔ）し、アンテナ部２１を介して送信する。また、ＲＦ部２２は、電力を増幅する。また、ＲＦ部２２は送信電力を制御する機能を備えてもよい。ＲＦ部２２
を送信電力制御部とも称する。
【０２６０】
なお、端末装置２は、複数の周波数（周波数帯、周波数帯域幅）またはセルの同一サブフレ−ム内での送受信処理をサポートするために各部の一部あるいはすべてを複数備える構成であってもよい。
【０２６１】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。また様々な条件に基づき各部の動作を制御する制御部を別途備えてもよい。
【０２６２】
上位層処理部３４は、媒体アクセス制御（ＭＡＣ：  Ｍｅｄｉｕｍ  Ａｃｃｅｓｓ  Ｃｏｎｔｒｏｌ）層、パケットデ−タ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ
Ｃｏｎｔｒｏｌ：ＲＲＣ）層の一部あるいはすべての処理を行なう。
【０２６３】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジュ−リングリクエストに関する処理を行う。
【０２６４】
上位層処理部３４が備える無線リソース制御層処理部３６は、無線リソース制御層の処理を行う。無線リソース制御層処理部３６は、物理下りリンク共用チャネルに配置される下りリンクデ−タ（トランスポートブロック）、システムインフォメーション、ＲＲＣメッセージ、ＭＡＣ  ＣＥ（Ｃｏｎｔｒｏｌ  Ｅｌｅｍｅｎｔ）などを生成し、又は上位ノ−ドから取得し、無線送受信部３０に出力する。また、無線リソース制御層処理部３６は、端末装置２各々の各種設定情報／パラメータの管理をする。無線リソース制御層処理部３６は、上位層の信号を介して端末装置２各々に対して各種設定情報／パラメータをセットしてもよい。すなわち、無線リソース制御層処理部３６は、各種設定情報／パラメータを示す情報を送信／報知する。
【０２６５】
無線送受信部３０の機能は、無線送受信部２０と同様であるため説明を省略する。なお、基地局装置３が１または複数の送受信点４と接続している場合、無線送受信部３０の機能の一部あるいは全部が、各送受信点４に含まれてもよい。
【０２６６】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図３において、その他の基地局装置３の構成要素や、構成要素間のデ−タ（制御情報）の伝送経路については省略してあるが、基地局装置３として動作するために必要なその他の機能を有する複数のブロックを構成要素として持つことは明らかである。例えば、無線リソース制御層処理部３６の上位には、無線リソース管理（Ｒａｄｉｏ  Ｒｅｓｏｕｒｃｅ  Ｍａｎａｇｅｍｅｎｔ）層処理部や、アプリケ−ション層処理部が存在している。
【０２６７】
なお、図中の「部」とは、セクション、回路、構成装置、デバイス、ユニットなど用語によっても表現される、端末装置２および基地局装置３の機能および各手順を実現する要
素である。
【０２６８】
端末装置２が備える符号２０から符号２６が付された部のそれぞれは、回路として構成されてもよい。基地局装置３が備える符号３０から符号３６が付された部のそれぞれは、回路として構成されてもよい。
【０２６９】
本発明の実施形態における、端末装置２および基地局装置３の種々の態様について説明する。
【０２７０】
（１）本発明の第１の態様は、端末装置であって、測定対象と、報告設定と、前記測定対象の一つと前記報告設定の一つとの組み合わせを識別する測定識別子とを含む測定設定を受信する受信部と、第１の条件を満たす場合に、前記測定識別子で示される前記測定対象の測定を実行する測定部とを備え、前記第１の条件を満たすとは、前記端末装置に第１の閾値が設定されていない場合、または、前記端末装置に前記第１の閾値が設定され、かつ特定のサービングセルのフィルタ後の参照信号受信電力（ＲＳＲＰ）が前記第１の閾値より小さい場合、または、前記測定識別子の測定対象に第1の情報が含まれる場合、を含
む。
【０２７１】
（２）本発明の第２の態様は、基地局装置であって、測定対象と、報告設定と、前記測定対象の一つと前記報告設定の一つとの組み合わせを識別する測定識別子と、第１の閾値とを含む測定設定を送信する送信部と、前記測定識別子で示される測定対象の測定において前記第１の閾値を考慮するか否かを示す第１の情報を含む前記測定設定を生成する制御部とを備える。
【０２７２】
（３）本発明の第３の態様は、端末装置に適用される通信方法であって、測定対象と、報告設定と、前記測定対象の一つと前記報告設定の一つとの組み合わせを識別する測定識別子とを含む測定設定を受信するステップと、第１の条件を満たす場合に、前記測定識別子で示される前記測定対象の測定を実行するステップとを含み、前記第１の条件を満たすとは、前記端末装置に第１の閾値が設定されていない場合、または、前記端末装置に前記第１の閾値が設定され、かつ特定のサービングセルのフィルタ後の参照信号受信電力（ＲＳＲＰ）が前記第１の閾値より小さい場合、または、前記測定識別子の測定対象に第1の
情報が含まれる場合、を含む。
【０２７３】
（４）本発明の第４の態様は、基地局装置に適用される通信方法であって、測定対象と、報告設定と、前記測定対象の一つと前記報告設定の一つとの組み合わせを識別する測定識別子と、第１の閾値と、を含む測定設定を送信するステップと、前記測定識別子で示される測定対象の測定において前記第１の閾値を考慮するか否かを示す第１の情報を含む前記測定設定を生成するステップとを含む。
【０２７４】
（５）本発明の第５の態様は、端末装置に実装される集積回路であって、測定対象と、報告設定と、前記測定対象の一つと前記報告設定の一つとの組み合わせを識別する測定識別子と、を含む測定設定を受信する機能と、第１の条件を満たす場合に、前記測定識別子で示される前記測定対象の測定を実行する機能とを前記端末装置に対して発揮させ、前記第１の条件を満たすとは、前記端末装置に第１の閾値が設定されていない場合、または、前記端末装置に前記第１の閾値が設定され、かつ特定のサービングセルのフィルタ後の参照信号受信電力（ＲＳＲＰ）が前記第１の閾値より小さい場合、または、前記測定識別子の測定対象に第1の情報が含まれる場合、を含む。
【０２７５】
（６）本発明の第６の態様は、基地局装置に実装される集積回路であって、測定対象と、報告設定と、前記測定対象の一つと前記報告設定の一つとの組み合わせを識別する測定
識別子と、第１の閾値と、を含む測定設定を送信する機能と、前記測定識別子で示される測定対象の測定において前記第１の閾値を考慮するか否かを示す第１の情報を含む前記測定設定を生成する機能とを前記基地局装置に対して発揮させる。
【０２７６】
これにより、端末装置２および基地局装置３は、効率的な測定に基づく通信を行うことができる。
【０２７７】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０２７８】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２７９】
端末装置２は、ユ−ザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）、ＮＲ  ＮＢ（ＮＲ  ＮｏｄｅＢ）、ＮＮＢ、ＴＲＰ（Ｔｒａｎｓｍｉｓｓｉｏｎ  ａｎｄ  Ｒｅｃｅｐｔｉｏｎ  Ｐｏｉｎｔ）、ｇＮＢ（ｎｅｘｔ  ｇｅｎｅｒａｔｉｏｎ  Ｎｏｄｅ  Ｂ）とも称される。
【０２８０】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置２は、集合体としての基地局装置３と通信することも可能である。
【０２８１】
また、上述した実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよいし、あるいは次世代コアネットワーク（ＮｅｘｔＧｅｎ  Ｃｏｒｅ）であってもよい。また、上述した実施形態における基地局装置３は、ｅＮｏｄｅＢに対する上位ノ−ドの機能の一部または全部を有してもよい。
【０２８２】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０２８３】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステム
に読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０２８４】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０２８５】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０２８６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２８７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２８８】
２  端末装置
３  基地局装置
２０、３０  無線送受信部
２１、３１  アンテナ部
２２、３２  ＲＦ部
２３、３３  ベースバンド部
２４、３４  上位層処理部
２５、３５  媒体アクセス制御層処理部
２６、３６  無線リソース制御層処理部
４  送受信点
【図１】
2019121828.tif 000003
【図２】
2019121828.tif 000004
【図３】
2019121828.tif 000005
【図４】
2019121828.tif 000006
【図５】
2019121828.tif 000007
【図６】
2019121828.tif 000008
【図７】
2019121828.tif 000009
【図８】
2019121828.tif 000010
【図９】
2019121828.tif 000011
【図１０】
2019121828.tif 000012